(57)【特許請求の範囲】
【請求項１】
制御部と記憶部と表示部を少なくとも備えたＢＩＭシステムであって、
前記記憶部は、
昇降機を構成する機器に関する機器情報を記憶する機器情報記憶手段と、
建築物のＢＩＭモデル内に設置される前記昇降機のＢＩＭパーツを作成するためのパーツ情報を記憶するパーツ情報記憶手段と、
を備え、
前記制御部は、
入力される前記昇降機の仕様条件を満たす前記機器を、前記機器情報記憶手段に記憶された前記機器情報から選定して、選定した当該機器情報を含む機器構成一覧表を生成する機器選定手段と、
前記機器選定手段により生成された前記機器構成一覧表、および、当該機器構成一覧表に含まれる前記機器情報に基づいて前記ＢＩＭパーツの作成条件を生成する処理を実行させるためのＢＩＭボタンを含む機器選定結果画面を生成する結果画面生成手段と、
前記結果画面生成手段により生成された前記機器選定結果画面を前記表示部に表示させる結果画面表示手段と、
前記結果画面表示手段により表示された前記機器選定結果画面上の前記ＢＩＭボタンに対する入力が検出された場合、前記機器構成一覧表に含まれる前記機器情報に基づいて前記ＢＩＭパーツの作成条件を生成する作成条件生成手段と、
前記作成条件生成手段により生成された前記作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを含むレイアウト画面を生成する画面生成手段と、
前記画面生成手段により生成された前記レイアウト画面を前記表示部に表示させる画面表示手段と、
を備えたことを特徴とするＢＩＭシステム。
【請求項２】
前記記憶部は、
前記建築物のＢＩＭモデルを記憶するＢＩＭモデル記憶手段、
を備え、
前記制御部は、
前記昇降機モデリング手段により作成された前記ＢＩＭパーツを、前記ＢＩＭモデル記憶手段に記憶された前記ＢＩＭモデル内における当該ＢＩＭパーツの設置予定領域へ設置させる利用者の設置操作を検出する操作画面を、第２の端末装置の前記表示部に表示させる操作画面表示手段と、
前記操作画面表示手段により表示された前記操作画面を介して検出される前記設置操作に応じて、前記ＢＩＭパーツを前記設置予定領域に設置した統合ＢＩＭモデルを作成する統合モデリング手段と、
を更に備え、
前記画面生成手段は、
前記統合モデリング手段により作成された前記統合ＢＩＭモデルを含むレイアウト画面を生成し、
前記画面表示手段は、
前記画面生成手段により生成された前記レイアウト画面を前記表示部に表示させることを特徴とする請求項１に記載のＢＩＭシステム。
【請求項３】
前記制御部は、
前記画面表示手段により表示された前記レイアウト画面に含まれる前記ＢＩＭパーツに含まれるパーツ情報を変更するための変更画面を前記表示部に表示させる変更画面表示手段と、
前記変更画面表示手段により表示された前記変更画面上で変更された前記ＢＩＭパーツの前記パーツ情報に基づいて、前記昇降機の仕様条件を生成する仕様条件生成手段と、
を更に備え、
前記機器選定手段は、
前記仕様条件生成手段により生成された前記仕様条件を満たす前記機器を、前記機器情報記憶手段に記憶された前記機器情報から選定して、新たな機器構成一覧表を再生成することを特徴とする請求項１または２に記載のＢＩＭシステム。
【請求項４】
制御部と記憶部と表示部を少なくとも備えた第１の端末装置、制御部と記憶部とを少なくとも備えたサーバ装置、および、制御部と表示部とを少なくとも備えた第２の端末装置、を通信可能に接続したＢＩＭシステムであって、
前記第１の端末装置の前記記憶部は、
昇降機を構成する機器に関する機器情報を記憶する機器情報記憶手段、
を備え、
前記サーバ装置の前記記憶部は、
建築物のＢＩＭモデル内に設置される前記昇降機のＢＩＭパーツを作成するためのパーツ情報を記憶するパーツ情報記憶手段、
を備え、
前記第１の端末装置の前記制御部は、
入力される前記昇降機の仕様条件を満たす前記機器を、前記機器情報記憶手段に記憶された前記機器情報から選定して、選定した当該機器情報を含む機器構成一覧表を生成する機器選定手段と、
前記機器選定手段により生成された前記機器構成一覧表、および、当該機器構成一覧表に含まれる前記機器情報に基づいて前記ＢＩＭパーツの作成条件を生成する処理を実行させるためのＢＩＭボタンを含む機器選定結果画面を生成する結果画面生成手段と、
前記結果画面生成手段により生成された前記機器選定結果画面を前記第１の端末装置の前記表示部に表示させる結果画面表示手段と、
前記結果画面表示手段により表示された前記機器選定結果画面上の前記ＢＩＭボタンに対する入力が検出された場合、前記機器構成一覧表に含まれる前記機器情報に基づいて前記ＢＩＭパーツの作成条件を生成する作成条件生成手段と、
前記作成条件生成手段により生成された前記作成条件を前記サーバ装置へ送信する作成条件送信手段と、
を備え、
前記サーバ装置の前記制御部は、
前記第１の端末装置から送信される前記作成条件を受信する作成条件受信手段と、
前記作成条件受信手段により受信された前記作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを前記第２の端末装置へ送信する情報提供手段と、
を備え、
前記第２の端末装置の前記制御部は、
前記サーバ装置から送信される前記ＢＩＭパーツを受信する情報取得手段と、
前記情報取得手段により受信された前記ＢＩＭパーツを含むレイアウト画面を生成する画面生成手段と、
前記画面生成手段により生成された前記レイアウト画面を前記第２の端末装置の前記表示部に表示させる画面表示手段と、
を備えたことを特徴とするＢＩＭシステム。
【請求項５】
制御部と記憶部と表示部を少なくとも備えた端末装置、および、制御部と記憶部とを少なくとも備えたサーバ装置、を通信可能に接続したＢＩＭシステムであって、
前記端末装置の前記記憶部は、
昇降機を構成する機器に関する機器情報を記憶する機器情報記憶手段、
を備え、
前記サーバ装置の前記記憶部は、
建築物のＢＩＭモデル内に設置される前記昇降機のＢＩＭパーツを作成するためのパーツ情報を記憶するパーツ情報記憶手段、
を備え、
前記端末装置の前記制御部は、
入力される前記昇降機の仕様条件を満たす前記機器を、前記機器情報記憶手段に記憶された前記機器情報から選定して、選定した当該機器情報を含む機器構成一覧表を生成する機器選定手段と、
前記機器選定手段により生成された前記機器構成一覧表、および、当該機器構成一覧表に含まれる前記機器情報に基づいて前記ＢＩＭパーツの作成条件を生成する処理を実行させるためのＢＩＭボタンを含む機器選定結果画面を生成する結果画面生成手段と、
前記結果画面生成手段により生成された前記機器選定結果画面を前記表示部に表示させる結果画面表示手段と、
前記結果画面表示手段により表示された前記機器選定結果画面上の前記ＢＩＭボタンに対する入力が検出された場合、前記機器構成一覧表に含まれる前記機器情報に基づいて前記ＢＩＭパーツの作成条件を生成する作成条件生成手段と、
前記作成条件生成手段により生成された前記作成条件を前記サーバ装置へ送信する作成条件送信手段と、
前記サーバ装置から送信される前記ＢＩＭパーツを受信する情報取得手段と、
前記情報取得手段により受信された前記ＢＩＭパーツを含むレイアウト画面を生成する画面生成手段と、
前記画面生成手段により生成された前記レイアウト画面を前記表示部に表示させる画面表示手段と、
を備え、
前記サーバ装置の前記制御部は、
前記端末装置から送信される前記作成条件を受信する作成条件受信手段と、
前記作成条件受信手段により受信された前記作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを前記端末装置へ送信する情報提供手段と、
を備えたことを特徴とするＢＩＭシステム。
【請求項６】
制御部と記憶部と表示部を少なくとも備えた端末装置、および、制御部と記憶部とを少なくとも備えたサーバ装置、を通信可能に接続したＢＩＭシステムであって、
前記端末装置の前記記憶部は、
昇降機を構成する機器に関する機器情報を記憶する機器情報記憶手段、
を備え、
前記サーバ装置の前記記憶部は、
建築物のＢＩＭモデル内に設置される前記昇降機のＢＩＭパーツを作成するためのパーツ情報を記憶するパーツ情報記憶手段、
を備え、
前記端末装置の前記制御部は、
入力される前記昇降機の仕様条件を満たす前記機器を、前記機器情報記憶手段に記憶された前記機器情報から選定して、選定した当該機器情報を含む機器構成一覧表を生成する機器選定手段と、
前記機器選定手段により生成された前記機器構成一覧表、および、当該機器構成一覧表に含まれる前記機器情報に基づいて前記ＢＩＭパーツの作成条件を生成する処理を実行させるためのＢＩＭボタンを含む機器選定結果画面を生成する結果画面生成手段と、
前記結果画面生成手段により生成された前記機器選定結果画面を前記表示部に表示させる結果画面表示手段と、
前記結果画面表示手段により表示された前記機器選定結果画面上の前記ＢＩＭボタンに対する入力が検出された場合、前記機器構成一覧表に含まれる前記機器情報を前記サーバ装置へ送信する機器情報送信手段と、
を備え、
前記サーバ装置の前記制御部は、
前記端末装置から送信される前記機器情報を受信する機器情報受信手段と、
前記機器情報受信手段により受信された前記機器情報に基づいて、前記ＢＩＭパーツの作成条件を生成する作成条件生成手段と、
前記作成条件生成手段により生成された前記作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを含むレイアウト画面を生成する画面生成手段と、
前記画面生成手段により生成された前記レイアウト画面を前記端末装置へ送信して、当該端末装置の前記表示部に表示させるように制御する画面表示制御手段と、
を備えたことを特徴とするＢＩＭシステム。
【請求項７】
制御部と記憶部と表示部を少なくとも備えたＢＩＭシステムにおいて実行される方法であって、
前記記憶部は、
昇降機を構成する機器に関する機器情報を記憶する機器情報記憶手段と、
建築物のＢＩＭモデル内に設置される前記昇降機のＢＩＭパーツを作成するためのパーツ情報を記憶するパーツ情報記憶手段と、
を備え、
前記制御部において実行される、
入力される前記昇降機の仕様条件を満たす前記機器を、前記機器情報記憶手段に記憶された前記機器情報から選定して、選定した当該機器情報を含む機器構成一覧表を生成する機器選定ステップと、
前記機器選定ステップにて生成された前記機器構成一覧表、および、当該機器構成一覧表に含まれる前記機器情報に基づいて前記ＢＩＭパーツの作成条件を生成する処理を実行させるためのＢＩＭボタンを含む機器選定結果画面を生成する結果画面生成ステップと、
前記結果画面生成ステップにて生成された前記機器選定結果画面を前記表示部に表示させる結果画面表示ステップと、
前記結果画面表示ステップにて表示された前記機器選定結果画面上の前記ＢＩＭボタンに対する入力が検出された場合、前記機器構成一覧表に含まれる前記機器情報に基づいて前記ＢＩＭパーツの作成条件を生成する作成条件生成ステップと、
前記作成条件生成ステップにて生成された前記作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを含むレイアウト画面を生成する画面生成ステップと、
前記画面生成ステップにて生成された前記レイアウト画面を前記表示部に表示させる画面表示ステップと、
を含むことを特徴とする方法。
【請求項８】
制御部と記憶部と表示部を少なくとも備えた第１の端末装置、制御部と記憶部とを少なくとも備えたサーバ装置、および、制御部と表示部とを少なくとも備えた第２の端末装置、を通信可能に接続したＢＩＭシステムにおいて実行される方法であって、
前記第１の端末装置の前記記憶部は、
昇降機を構成する機器に関する機器情報を記憶する機器情報記憶手段、
を備え、
前記サーバ装置の前記記憶部は、
建築物のＢＩＭモデル内に設置される前記昇降機のＢＩＭパーツを作成するためのパーツ情報を記憶するパーツ情報記憶手段、
を備え、
前記第１の端末装置の前記制御部において実行される、入力される前記昇降機の仕様条件を満たす前記機器を、前記機器情報記憶手段に記憶された前記機器情報から選定して、選定した当該機器情報を含む機器構成一覧表を生成する機器選定ステップと、
前記第１の端末装置の前記制御部において実行される、前記機器選定ステップにて生成された前記機器構成一覧表、および、当該機器構成一覧表に含まれる前記機器情報に基づいて前記ＢＩＭパーツの作成条件を生成する処理を実行させるためのＢＩＭボタンを含む機器選定結果画面を生成する結果画面生成ステップと、
前記第１の端末装置の前記制御部において実行される、前記結果画面生成ステップにて生成された前記機器選定結果画面を前記第１の端末装置の前記表示部に表示させる結果画面表示ステップと、
前記第１の端末装置の前記制御部において実行される、前記結果画面表示ステップにて表示された前記機器選定結果画面上の前記ＢＩＭボタンに対する入力が検出された場合、前記機器構成一覧表に含まれる前記機器情報に基づいて前記ＢＩＭパーツの作成条件を生成する作成条件生成ステップと、
前記第１の端末装置の前記制御部において実行される、前記作成条件生成ステップにて生成された前記作成条件を前記サーバ装置へ送信する作成条件送信ステップと、
前記サーバ装置の前記制御部において実行される、前記第１の端末装置から前記作成条件送信ステップにて送信された前記作成条件を受信する作成条件受信ステップと、
前記サーバ装置の前記制御部において実行される、前記作成条件受信ステップにて受信された前記作成条件に対応する前記ＢＩＭパーツを、前記パーツ情報記憶手段に記憶された前記パーツ情報を用いて作成する昇降機モデリングステップと、
前記サーバ装置の前記制御部において実行される、前記昇降機モデリングステップにて作成された前記ＢＩＭパーツを前記第２の端末装置へ送信する情報提供ステップと、
前記第２の端末装置の前記制御部において実行される、前記サーバ装置から前記情報提供ステップにて送信された前記ＢＩＭパーツを受信する情報取得ステップと、
前記第２の端末装置の前記制御部において実行される、前記情報取得ステップにて受信された前記ＢＩＭパーツを含むレイアウト画面を生成する画面生成ステップと、
前記第２の端末装置の前記制御部において実行される、前記画面生成ステップにて生成された前記レイアウト画面を前記第２の端末装置の前記表示部に表示させる画面表示ステップと、
を含むことを特徴とする方法。
【請求項９】
制御部と記憶部と表示部を少なくとも備えた端末装置、および、制御部と記憶部とを少なくとも備えたサーバ装置、を通信可能に接続したＢＩＭシステムにおいて実行される方法であって、
前記端末装置の前記記憶部は、
昇降機を構成する機器に関する機器情報を記憶する機器情報記憶手段、
を備え、
前記サーバ装置の前記記憶部は、
建築物のＢＩＭモデル内に設置される前記昇降機のＢＩＭパーツを作成するためのパーツ情報を記憶するパーツ情報記憶手段、
を備え、
前記端末装置の前記制御部において実行される、入力される前記昇降機の仕様条件を満たす前記機器を、前記機器情報記憶手段に記憶された前記機器情報から選定して、選定した当該機器情報を含む機器構成一覧表を生成する機器選定ステップと、
前記端末装置の前記制御部において実行される、前記機器選定ステップにて生成された前記機器構成一覧表、および、当該機器構成一覧表に含まれる前記機器情報に基づいて前記ＢＩＭパーツの作成条件を生成する処理を実行させるためのＢＩＭボタンを含む機器選定結果画面を生成する結果画面生成ステップと、
前記端末装置の前記制御部において実行される、前記結果画面生成ステップにて生成された前記機器選定結果画面を前記表示部に表示させる結果画面表示ステップと、
前記端末装置の前記制御部において実行される、前記結果画面表示ステップにて表示された前記機器選定結果画面上の前記ＢＩＭボタンに対する入力が検出された場合、前記機器構成一覧表に含まれる前記機器情報に基づいて前記ＢＩＭパーツの作成条件を生成する作成条件生成ステップと、
前記端末装置の前記制御部において実行される、前記作成条件生成ステップにて生成された前記作成条件を前記サーバ装置へ送信する作成条件送信ステップと、
前記サーバ装置の前記制御部において実行される、前記端末装置から前記作成条件送信ステップにて送信された前記作成条件を受信する作成条件受信ステップと、
前記サーバ装置の前記制御部において実行される、前記作成条件受信ステップにて受信された前記作成条件に対応する前記ＢＩＭパーツを、前記パーツ情報記憶手段に記憶された前記パーツ情報を用いて作成する昇降機モデリングステップと、
前記サーバ装置の前記制御部において実行される、前記昇降機モデリングステップにて作成された前記ＢＩＭパーツを前記端末装置へ送信する情報提供ステップと、
前記端末装置の前記制御部において実行される、前記サーバ装置から前記情報提供ステップにて送信された前記ＢＩＭパーツを受信する情報取得ステップと、
前記端末装置の前記制御部において実行される、前記情報取得ステップにて受信された前記ＢＩＭパーツを含むレイアウト画面を生成する画面生成ステップと、
前記端末装置の前記制御部において実行される、前記画面生成ステップにて生成された前記レイアウト画面を前記表示部に表示させる画面表示ステップと、
を含むことを特徴とする方法。
【請求項１０】
制御部と記憶部と表示部を少なくとも備えた端末装置、および、制御部と記憶部とを少なくとも備えたサーバ装置、を通信可能に接続したＢＩＭシステムにおいて実行される方法であって、
前記端末装置の前記記憶部は、
昇降機を構成する機器に関する機器情報を記憶する機器情報記憶手段、
を備え、
前記サーバ装置の前記記憶部は、
建築物のＢＩＭモデル内に設置される前記昇降機のＢＩＭパーツを作成するためのパーツ情報を記憶するパーツ情報記憶手段、
を備え、
前記端末装置の前記制御部において実行される、入力される前記昇降機の仕様条件を満たす前記機器を、前記機器情報記憶手段に記憶された前記機器情報から選定して、選定した当該機器情報を含む機器構成一覧表を生成する機器選定ステップと、
前記端末装置の前記制御部において実行される、前記機器選定ステップにて生成された前記機器構成一覧表、および、当該機器構成一覧表に含まれる前記機器情報に基づいて前記ＢＩＭパーツの作成条件を生成する処理を実行させるためのＢＩＭボタンを含む機器選定結果画面を生成する結果画面生成ステップと、
前記端末装置の前記制御部において実行される、前記結果画面生成ステップにて生成された前記機器選定結果画面を前記表示部に表示させる結果画面表示ステップと、
前記端末装置の前記制御部において実行される、前記結果画面表示ステップにて表示された前記機器選定結果画面上の前記ＢＩＭボタンに対する入力が検出された場合、前記機器構成一覧表に含まれる前記機器情報を前記サーバ装置へ送信する機器情報送信ステップと、
前記サーバ装置の前記制御部において実行される、前記端末装置から前記機器情報送信ステップにて送信された前記機器情報を受信する機器情報受信ステップと、
前記サーバ装置の前記制御部において実行される、前記機器情報受信ステップにて受信された前記機器情報に基づいて、前記ＢＩＭパーツの作成条件を生成する作成条件生成ステップと、
前記サーバ装置の前記制御部において実行される、前記作成条件生成ステップにて生成された前記作成条件に対応する前記ＢＩＭパーツを、前記パーツ情報記憶手段に記憶された前記パーツ情報を用いて作成する昇降機モデリングステップと、
前記サーバ装置の前記制御部において実行される、前記昇降機モデリングステップにて作成された前記ＢＩＭパーツを含むレイアウト画面を生成する画面生成ステップと、
前記サーバ装置の前記制御部において実行される、前記画面生成ステップにて生成された前記レイアウト画面を前記端末装置へ送信して、当該端末装置の前記表示部に表示させるように制御する画面表示制御ステップと、
を含むことを特徴とする方法。
【請求項１１】
制御部と記憶部と表示部を少なくとも備えたＢＩＭシステムに実行させるためのプログラムであって、
前記記憶部は、
昇降機を構成する機器に関する機器情報を記憶する機器情報記憶手段と、
建築物のＢＩＭモデル内に設置される前記昇降機のＢＩＭパーツを作成するためのパーツ情報を記憶するパーツ情報記憶手段と、
を備え、
前記制御部において、
入力される前記昇降機の仕様条件を満たす前記機器を、前記機器情報記憶手段に記憶された前記機器情報から選定して、選定した当該機器情報を含む機器構成一覧表を生成する機器選定ステップと、
前記機器選定ステップにて生成された前記機器構成一覧表、および、当該機器構成一覧表に含まれる前記機器情報に基づいて前記ＢＩＭパーツの作成条件を生成する処理を実行させるためのＢＩＭボタンを含む機器選定結果画面を生成する結果画面生成ステップと、
前記結果画面生成ステップにて生成された前記機器選定結果画面を前記表示部に表示させる結果画面表示ステップと、
前記結果画面表示ステップにて表示された前記機器選定結果画面上の前記ＢＩＭボタンに対する入力が検出された場合、前記機器構成一覧表に含まれる前記機器情報に基づいて前記ＢＩＭパーツの作成条件を生成する作成条件生成ステップと、
前記作成条件生成ステップにて生成された前記作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを含むレイアウト画面を生成する画面生成ステップと、
前記画面生成ステップにて生成された前記レイアウト画面を前記表示部に表示させる画面表示ステップと、
を実行させるためのプログラム。
【発明の詳細な説明】
【技術分野】
【０００１】
本発明の実施形態は、ＢＩＭシステム、方法およびプログラムに関する。
【０００２】
従来、昇降機メーカの担当者は、昇降機を備える建築物を設計する客先に対して、平面図や断面図等の二次元図面およびカタログや納入実績等の写真を使用して、昇降機の設備計画を提案していた。そこで、近年、昇降機の設備計画を提案する際、昇降機を視覚的に分かりやすく表示する技術が求められている。
【先行技術文献】
【特許文献】
【０００３】
【特許文献１】特開２０１０−２６２５８０号公報
【発明の概要】
【発明が解決しようとする課題】
【０００４】
本発明が解決しようとする課題は、昇降機の設備計画を提案する際、昇降機を視覚的に分かりやすく表示することができるＢＩＭシステムを提供することである。
【課題を解決するための手段】
【０００５】
実施形態のＢＩＭシステムは、制御部と記憶部と表示部を少なくとも備えたＢＩＭシステムである。前記記憶部は、機器情報記憶手段と、パーツ情報記憶手段と、を備える。前記機器情報記憶手段は、昇降機を構成する機器に関する機器情報を記憶する。前記パーツ情報記憶手段は、建築物のＢＩＭモデル内に設置される前記昇降機のＢＩＭパーツを作成するためのパーツ情報を記憶する。前記制御部は、機器選定手段と、結果画面生成手段と、結果画面表示手段と、作成条件生成手段と、昇降機モデリング手段と、画面生成手段と、画面表示手段と、を備える。前記機器選定手段は、入力される前記昇降機の仕様条件を満たす前記機器を、前記機器情報記憶手段に記憶された前記機器情報から選定して、選定した当該機器情報を含む機器構成一覧表を生成する。前記結果画面生成手段は、前記機器選定手段により生成された前記機器構成一覧表、および、当該機器構成一覧表に含まれる前記機器情報に基づいて前記ＢＩＭパーツの作成条件を生成する処理を実行させるためのＢＩＭボタンを含む機器選定結果画面を生成する。前記結果画面表示手段は、前記結果画面生成手段により生成された前記機器選定結果画面を前記表示部に表示させる。前記作成条件生成手段は、前記結果画面表示手段により表示された前記機器選定結果画面上の前記ＢＩＭボタンに対する入力が検出された場合、前記機器構成一覧表に含まれる前記機器情報に基づいて前記ＢＩＭパーツの作成条件を生成する。前記昇降機モデリング手段は、前記作成条件生成手段により生成された前記作成条件に対応する前記ＢＩＭパーツを、前記パーツ情報記憶手段に記憶された前記パーツ情報を用いて作成する。前記画面生成手段は、前記昇降機モデリング手段により作成された前記ＢＩＭパーツを含むレイアウト画面を生成する。前記画面表示手段は、前記画面生成手段により生成された前記レイアウト画面を前記表示部に表示させる。
【図面の簡単な説明】
【０００６】
【図１】図１は、建築物の設計図書およびＢＩＭモデルの一例を示す概念図である。
【図２】図２は、第１の実施形態におけるＢＩＭシステムの構成の一例を示すブロック図である。
【図３】図３は、仕様条件入力画面の一例を示す図である。
【図４】図４は、機器選定結果画面の一例を示す図である。
【図５】図５は、昇降機のＢＩＭパーツの一例を示す図である。
【図６】図６は、図５のＢＩＭパーツを平面で表した図である。
【図７】図７は、図５のＢＩＭパーツを断面で表した図である。
【図８】図８は、操作画面の一例を示す図である。
【図９】図９は、統合ＢＩＭモデルを含むレイアウト画面の一例を示す図である。
【図１０】図１０は、変更画面の一例を示す図である。
【図１１】図１１は、第１の実施形態におけるＢＩＭシステムの処理の一例を示すフローチャートである。
【図１２】図１２は、第２の実施形態におけるＢＩＭシステムの構成の一例を示すブロック図である。
【図１３】図１３は、第２の実施形態におけるＢＩＭシステムの処理の一例を示すフローチャートである。
【図１４】図１４は、第３の実施形態におけるＢＩＭシステムの構成の一例を示すブロック図である。
【図１５】図１５は、第３の実施形態におけるＢＩＭシステムの処理の一例を示すフローチャートである。
【図１６】図１６は、第４の実施形態におけるＢＩＭシステムの構成の一例を示すブロック図である。
【図１７】図１７は、第４の実施形態におけるＢＩＭシステムの処理の一例を示すフローチャートである。
【発明を実施するための形態】
【０００７】
以下に、本実施形態にかかるＢＩＭシステム、方法およびプログラムの実施の形態を図面に基づいて詳細に説明する。なお、この実施の形態によりこの発明が限定されるものではない。
【０００８】
ここで、図１を参照して、本実施形態において利用されるＢＩＭ（ビルディングインフォメーションモデリング）の概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性および整合性の確認を行うことができる。
【０００９】
以下、本実施形態の構成および処理について、第１の実施形態（ＢＩＭシステム（機能分散型１））、第２の実施形態（ＢＩＭシステム（機能分散型２））、第３の実施形態（ＢＩＭシステム（サーバ主導型））、第４の実施形態（ＢＩＭシステム（スタンドアロン型））の順にて詳細に説明する。
【００１０】
［第１の実施形態］
第１の実施形態について、図２乃至図１１を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［第１の実施形態におけるＢＩＭシステムの構成］
第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、第１の実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機を構成する機器を自動的に選定する機器選定システム（以下、「機器選定アプリケーション」と呼ぶ場合がある）等を搭載した単数または複数の第１の端末装置１００と、昇降機の３次元モデル（すなわち、昇降機のＢＩＭパーツ）等の情報を提供できるサーバ装置２００と、ＢＩＭアプリケーション等を搭載した単数または複数の第２の端末装置５００と、を通信可能に接続して構成される。図２に示すように、通信には、一例として、ネットワーク３００を介した有線・無線通信等の遠隔通信等を含む。これらＢＩＭシステムの各部は任意の通信路を介して通信可能に接続されている。
【００１３】
本実施形態において、機器選定システムとは、昇降機の基本仕様条件（例えば、エレベータの場合、定員、積載、速度、昇降行程など）と内装意匠仕様条件（例えば、エレベータの場合、扉や側板の材質、天井照明のデザイン、手すりや鏡の有無やデザイン）を入力、実行することにより昇降機を構成する機器（例えば、エレベータの場合、レール、ロープ、巻上機など）を自動的に選定するアプリケーションを意味する。ＢＩＭアプリケーションとは、昇降機のＢＩＭモデルであるＢＩＭパーツを作成するための作成条件に基づいて、当該作成条件に対応するＢＩＭパーツのモデリングを実行するアプリケーションを意味する。
【００１４】
図２に示すように、第１の実施形態のＢＩＭシステムにおいて、第１の端末装置１００は、概略的に、出力部（表示部１１４および音声出力部１１６）と入力部１１８と制御部１０２と記憶部１０６とを少なくとも備える。サーバ装置２００は、概略的に、制御部２０２と記憶部２０６とを少なくとも備える。第２の端末装置５００は、出力部（表示部５１４および音声出力部５１６）と入力部５１８と制御部５０２と記憶部５０６とを少なくとも備える。
【００１５】
［第１の実施形態における第１の端末装置１００］
図２において、第１の端末装置１００は、入力される昇降機の仕様条件を満たす機器を、記憶部１０６に記憶された機器情報から選定して、選定した当該機器情報を含む機器構成一覧表を生成する等の機能を有する。第１の端末装置１００は、生成された機器構成一覧表、および、当該機器構成一覧表に含まれる機器情報に基づいてＢＩＭパーツの作成条件を生成する処理を実行させるためのＢＩＭボタンを含む機器選定結果画面を生成する等の機能を有する。第１の端末装置１００は、生成された機器選定結果画面を表示部１１４に表示させ、表示された機器選定結果画面上のＢＩＭボタンに対する入力が検出された場合、機器構成一覧表に含まれる機器情報に基づいてＢＩＭパーツの作成条件を生成する等の機能を有する。第１の端末装置１００は、生成された作成条件をサーバ装置２００へ送信する等の機能を有する。
【００１６】
第１の端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。第１の端末装置１００は、インターネットブラウザ等を搭載していてもよく、機器選定アプリケーション等を搭載していてもよい。第１の端末装置１００は、表示部１１４と音声出力部１１６とを少なくとも含む出力部を備える。第１の端末装置１００は、データ入力等を行う入力部１１８を備える。
【００１７】
表示部１１４は、アプリケーション等の表示画面を表示する表示手段（例えば、液晶または有機ＥＬ等から構成されるディスプレイ、モニタ、および、タッチパネル等）であってもよい。音声出力部１１６は、音声情報を音声として出力する音声出力手段（例えば、スピーカ等）であってもよい。入力部１１８は、例えば、キー入力部、タッチパネル、コントロールパッド（例えば、タッチパッド、および、ゲームパッド等）、マウス、キーボード、および、マイク等であってもよい。入出力制御インターフェース部１０８は、表示部１１４、音声出力部１１６、および、入力部１１８等の制御を行う。
【００１８】
通信制御インターフェース部１０４は、通信回線や電話回線等に接続されるアンテナやルータ等の通信装置（図示せず）に接続されるインターフェースであり、第１の端末装置１００とネットワーク３００との間における通信制御を行う機能を有する。すなわち、通信制御インターフェース部１０４は、サーバ装置２００および第２の端末装置５００等と通信回線を介してデータを通信する機能を有している。ネットワーク３００は、第１の端末装置１００とサーバ装置２００と第２の端末装置５００、および、外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００１９】
記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（機器情報データベース１０６ａ等）を格納してもよい。記憶部１０６は、各種のファイル等を一時的に記憶するものであってもよい。
【００２０】
機器情報データベース１０６ａは、昇降機を構成する機器に関する機器情報を記憶する機器情報記憶手段である。本実施形態において、機器情報データベース１０６ａには、昇降機の基本仕様条件（例えば、エレベータの場合、定員・積載・速度・昇降行程など）と内装意匠仕様条件（例えば、エレベータの場合、扉や側板の材質、天井照明のデザイン、手すりや鏡の有無やデザイン）とに対応付けて、昇降機を構成する機器（例えば、エレベータの場合、レール、ロープ、巻上機など）に関する機器情報が記憶されている。機器情報データベース１０６ａは、第１の端末装置１００に搭載された機器選定アプリケーションが制御部１０２により実行される際に参照される。これにより、利用者は、機器選定アプリケーションを用いて、所望の昇降機の仕様条件（例えば、昇降機の基本仕様条件や内装意匠仕様条件を含む）を満たす昇降機の機器情報を含む機器構成一覧表を生成することができる。
【００２１】
制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、入力画面表示部１０２ａ、機器選定部１０２ｂ、結果画面生成部１０２ｃ、結果画面表示部１０２ｄ、作成条件生成部１０２ｅ、作成条件送信部１０２ｆ、および、仕様条件受信部１０２ｇを備える。
【００２２】
このうち、入力画面表示部１０２ａは、利用者が昇降機を構成する機器を選定する機器選定アプリケーションを後述の機器選定部１０２ｂにより実行する際に、各種仕様条件（例えば、昇降機の基本仕様条件や内装意匠仕様条件を含む）を入力するための仕様条件入力画面を表示部１１４に表示させる入力画面表示手段である。本実施形態において、昇降機の仕様条件は、昇降機の仕様に関する昇降機仕様情報、および、昇降機が設置される建築物に関する建物情報を含んでいてもよい。昇降機仕様情報は、例えば昇降機がエレベータの場合、かご内仕様情報および乗場仕様情報を含む。かご内仕様情報は、側板、天井、かご操作盤、副操作盤、副操作盤（横）、手すり、鏡、および、おすすめ仕様等の情報を含む。乗場仕様情報は、フェースプレート、操作ボタン、インジケーター、ランタン、警報盤、および、おすすめ仕様等の情報を含む。建物情報は、建物用途、階床数、階床名、階高、フロア人員等の情報を含む。
【００２３】
例えば、入力画面表示部１０２ａは、図３に示すような仕様条件入力画面を表示させる。図３は、仕様条件入力画面の一例を示す図である。図３のような機器選定アプリケーションの入力画面から、利用者は、かごサイズ、定員、積載、速度等の基本仕様の他、天井などの内装意匠仕様を入力することができる。図３において、仕様条件入力画面は、画面上部に、基本仕様条件を入力するための入力ボックス、プルダウンメニュー、チェックボックス等を含み、画面下部に、内装意匠仕様条件を入力するための入力ボックス、プルダウンメニュー、チェックボックス等を含む。更に、仕様条件入力画面は、右下に、計算実行ボタンと、適用結果表示ボタンとを含む。計算実行ボタンは、入力された基本仕様条件および内装意匠仕様条件に対応する機器情報を機器情報データベース１０６ａに記憶された機器情報から選定する機器選定処理を実行する契機となる、利用者の入力を検出するためのボタンである。機器選定処理は、計算実行ボタンに対する入力が検出された際に、後述の機器選定部１０２ｂにより実行される。適用結果表示ボタンは、機器選定部１０２ｂにより実行された機器選定処理の結果を機器構成一覧表として示す機器選定結果画面を生成する結果画面生成処理、および、当該機器選定結果画面を表示部１１４に表示させる結果画面表示処理を実行する契機となる、利用者の入力を検出するためのボタンである。結果画面生成処理及び結果画面表示処理は、適用結果表示ボタンに対する入力が検出された際に、それぞれ後述の結果画面生成部１０２ｃおよび結果画面表示部１０２ｄにより実行される。
【００２４】
図２に戻り、機器選定部１０２ｂは、入力される昇降機の仕様条件を満たす機器を、機器情報データベース１０６ａに記憶された機器情報から選定して、選定した当該機器情報を含む機器構成一覧表を生成する機器選定手段である。本実施形態において、機器選定部１０２ｂは、第１の端末装置１００に搭載された機器選定アプリケーションを用いて、仕様条件に対応する機器情報を機器情報データベース１０６ａに記憶された機器情報から選定する機器選定処理を実行する。昇降機の仕様条件は、入力画面表示部１０２ａにより表示された仕様条件入力画面を介して入力される仕様条件であってもよいし、後述の仕様条件受信部１０２ｇにより受信された仕様条件であってもよい。仕様条件受信部１０２ｇにより受信された仕様条件を用いる場合、機器選定部１０２ｂは、仕様条件受信部１０２ｇにより受信された仕様条件を満たす機器を、機器情報データベース１０６ａに記憶された機器情報から選定して、新たな機器構成一覧表を再生成する。
【００２５】
結果画面生成部１０２ｃは、機器選定部１０２ｂにより生成された機器構成一覧表、および、当該機器構成一覧表に含まれる機器情報に基づいてＢＩＭパーツの作成条件を生成する処理を実行させるためのＢＩＭボタンを含む機器選定結果画面を生成する結果画面生成手段である。本実施形態において、結果画面生成部１０２ｃは、第１の端末装置１００に搭載された機器選定アプリケーションを用いて、機器選定部１０２ｂにより実行された機器選定処理の結果を機器構成一覧表として示す機器選定結果画面を生成する結果画面生成処理を実行する。
【００２６】
例えば、結果画面生成部１０２ｃは、図４に示すような機器選定結果画面を生成する。図４は、機器選定結果画面の一例を示す図である。図４において、機器選定結果画面は、画面中央に、図３の適用結果表示ボタンに対する入力が検出された際に結果画面生成部１０２ｃにより生成された機器構成一覧表を含む。機器構成一覧表は、昇降機の設計者等が昇降機を設計する際に必要な機器構成の情報を一覧形式で示した表である。つまり、図４の機器選定結果画面は、機器選定アプリケーションにより得られた機器構成一覧表を含む。機器選定結果画面は、画面右下に、ＢＩＭボタンを含む。ＢＩＭボタンは、機器構成一覧表に含まれる機器情報に基づいて昇降機のＢＩＭパーツを作成するための作成条件を生成する作成条件生成処理を実行する契機となる、利用者の入力を検出するためのボタンである。作成条件生成処理は、ＢＩＭボタンに対する入力が検出された際に、後述の作成条件生成部１０２ｅにより実行される。
【００２７】
図２に戻り、結果画面表示部１０２ｄは、結果画面生成部１０２ｃにより生成された機器選定結果画面を第１の端末装置１００の表示部１１４に表示させる結果画面表示手段である。本実施形態において、結果画面表示部１０２ｄは、第１の端末装置１００に搭載された機器選定アプリケーションを用いて、結果画面生成部１０２ｃの結果画面生成処理により生成された機器選定結果画面を表示部１１４に表示させる結果画面表示処理を実行する。例えば、結果画面表示部１０２ｄは、上述の図４に示すような機器選定結果画面を表示させる。
【００２８】
作成条件生成部１０２ｅは、結果画面表示部１０２ｄにより表示された機器選定結果画面上のＢＩＭボタンに対する入力が検出された場合、機器構成一覧表に含まれる機器情報に基づいてＢＩＭパーツの作成条件を生成する作成条件生成手段である。作成条件は、利用者が所望する建築物のＢＩＭモデルに組込可能な昇降機のＢＩＭパーツを作成するための条件を指定するものである。作成条件にはこの他、希望の価格、納期等を含んでもよい。作成条件生成部１０２ｅは、機器構成一覧表に含まれる機器情報に加えて、更に利用者により入力部１１８を介して入力される詳細条件に基づいて、作成条件を生成してもよい。
【００２９】
作成条件送信部１０２ｆは、作成条件生成部１０２ｅにより生成された作成条件をサーバ装置２００へ送信する作成条件送信手段である。
【００３０】
仕様条件受信部１０２ｇは、後述する第２の端末装置５００から送信される仕様条件を受信する仕様条件受信手段である。
【００３１】
［第１の実施形態におけるサーバ装置２００の構成］
図２において、サーバ装置２００は、第１の端末装置１００から送信される昇降機の作成条件に対応するＢＩＭパーツを、記憶部２０６に記憶されたパーツ情報を用いて作成し、作成されたＢＩＭパーツを第２の端末装置５００へ送信する等の機能を有する。サーバ装置２００は、通信制御インターフェース部２０４を介してネットワーク３００を経由し、第１の端末装置１００と第２の端末装置５００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、第１の端末装置１００および第２端末装置５００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００３２】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータおよび乗客コンベアを含む概念であり、乗客コンベアは、エスカレータおよび動く歩道を含む。パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備に関する情報、昇降機を構成する必要部材の部材強度、価格、寸法、質量、色、素材、固有振動数といった情報の他、納期、在庫状況、据付時間、仕上げ材、耐用年数、メーカ情報、品番型番などが挙げられるが、上記に限定されない。
【００３３】
より具体的には、本実施形態において、パーツ情報は、例えば、後述の制御部２０２の処理によりＢＩＭパーツをＢＩＭモデルに組み込む際等に用いられるＢＩＭパーツのサイズ情報を含む。ＢＩＭパーツのサイズ情報は、ＢＩＭパーツを構成する各ユニット、構成部品のサイズ情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。パーツ情報は、例えば、後述の制御部２０２の処理よりＢＩＭパーツを変更する際に用いられる設定パラメータを含む。設定パラメータは、ＢＩＭパーツを構成する各ユニットのサイズ、色、材質、上記各種配線配管等を規定するパラメータを含む。ＢＩＭパーツは、典型的なＢＩＭモデルと同様に、このＢＩＭパーツ自体に対象の昇降機に関連するパーツ情報等の属性情報を含んでいる。
【００３４】
図２において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、および、情報提供部２０２ｃを備える。
【００３５】
このうち、作成条件受信部２０２ａは、第１の端末装置１００から送信される作成条件を受信する作成条件受信手段である。
【００３６】
昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、作成条件に合致する範囲内でＢＩＭパーツを複数作成してもよい。昇降機モデリング部２０２ｂは、作成した昇降機のＢＩＭパーツを記憶部２０６に格納して、ＢＩＭパーツデータベース（図示せず）を構築してもよい。
【００３７】
例えば、昇降機モデリング部２０２ｂは、図５〜図７に示すような昇降機のＢＩＭパーツを作成する。図５は、昇降機のＢＩＭパーツの一例を示す図である。図５では、昇降路、乗りかご、ガイドレール等のユニットから構成されるエレベータのＢＩＭパーツが示されている。このＢＩＭパーツは、ＢＩＭパーツの自動生成ツールとしてのＢＩＭアプリケーションにより作成されたＢＩＭパーツである。つまり、このＢＩＭパーツは、機器選定アプリケーションより得られた機器構成一覧表（図４）より必要なパラメータを自動的に取得し必要な機器情報を持ったＢＩＭパーツとなる。図６は、図５のＢＩＭパーツを平面で表した図である。図７は、図５のＢＩＭパーツを断面で表した図である。図６および図７に示すように、ＢＩＭパーツから必要な昇降路寸法を検討することもできる。
【００３８】
図２に戻り、情報提供部２０２ｃは、昇降機モデリング部２０２ｂにより作成された昇降機のＢＩＭパーツ等を含むサーバ装置２００の計算結果を第２の端末装置５００へ送信する情報提供手段である。情報提供部２０２ｃは、複数のＢＩＭパーツを含む計算結果を第２の端末装置５００へ送信してもよい。
【００３９】
［第１の実施形態における第２の端末装置５００の構成］
図２において、第２の端末装置５００は、サーバ装置２００から送信されたＢＩＭパーツを受信し、受信されたＢＩＭパーツを含むレイアウト画面を生成し、生成されたレイアウト画面を表示部５１４に表示させる等の機能を有する。
【００４０】
第２の端末装置５００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。第２の端末装置５００は、インターネットブラウザ等を搭載していてもよく、ＢＩＭアプリケーション等を搭載していてもよい。第２の端末装置５００は、表示部５１４と音声出力部５１６とを少なくとも含む出力部を備える。第２の端末装置５００は、データ入力等を行う入力部５１８を備える。
【００４１】
図２において、入出力制御インターフェース部５０８、表示部５１４、音声出力部５１６、および、入力部５１８の各機能は、第１の端末装置１００の入出力制御インターフェース部１０８、表示部１１４、音声出力部１１６、および、入力部１１８と同様であるため説明を省略する。
【００４２】
通信制御インターフェース部５０４は、通信回線や電話回線等に接続されるアンテナやルータ等の通信装置（図示せず）に接続されるインターフェースであり、第２の端末装置５００とネットワーク３００との間における通信制御を行う機能を有する。すなわち、通信制御インターフェース部５０４は、サーバ装置２００および第１の端末装置１００等と通信回線を介してデータを通信する機能を有している。
【００４３】
記憶部５０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭモデルデータベース５０６ａ等）を格納してもよい。記憶部５０６は、各種のファイル等を一時的に記憶するものであってもよい。
【００４４】
ＢＩＭモデルデータベース５０６ａは、建築物のＢＩＭモデルを記憶するＢＩＭモデル記憶手段である。本実施形態において、ＢＩＭモデルデータベース５０６ａには、予め設計者により設計された建築物のＢＩＭモデルが格納されている。ＢＩＭモデルには、例えば、建物形状、空間関係、地理情報、建物部材の数量や特性、部材強度、固有振動数、耐用年数等の構造情報が含まれるが、これらに限定されない。ＢＩＭモデルは、このＢＩＭモデル自体に対象の建築物に関する建物情報等の属性情報を含んでいる。例えば、建物情報は、建物用途、建物規模、階床数、階床名、階高、各階の使用用途、フロア人員、占有面積等から算出可能な昇降機の利用人数などの情報を含むが、これらに限定されない。更に、建物情報は、対象の建築物を構成する各構造ユニットに関する寸法、位置等を示す構造情報を含んでいてもよい。ここで、ＢＩＭモデルを構成する各構造ユニットとしては、例えば、建築物に配置される部屋、壁、通路、非常階段、避難経路、ガス管、水道管、火災報知機、スプリンクラー、梁等が挙げられる。
【００４５】
図２において、制御部５０２は、ＯＳ等の制御プログラムや、各種の処理手順等を規定したプログラム、および、所要データを格納するための内部メモリを有する。そして、制御部５０２は、これらのプログラム等により、種々の処理を実行するための情報処理を行う。制御部５０２は、機能概念的に、情報取得部５０２ａ、操作画面表示部５０２ｂ、統合モデリング部５０２ｃ、画面生成部５０２ｄ、画面表示部５０２ｅ、変更画面表示部５０２ｆ、仕様条件生成部５０２ｇ、および、仕様条件送信部５０２ｈを備える。
【００４６】
情報取得部５０２ａは、サーバ装置２００から送信される作成条件に対応するＢＩＭパーツを含む計算結果を受信する情報取得手段である。情報取得部５０２ａは、複数のＢＩＭパーツを含む計算結果をサーバ装置２００から受信してもよい。
【００４７】
操作画面表示部５０２ｂは、情報取得部５０２ａによりサーバ装置２００から取得された計算結果に含まれる単数または複数の昇降機のＢＩＭパーツを、ＢＩＭモデルデータベース５０６ａに記憶された建築物のＢＩＭモデル内における当該ＢＩＭパーツの設置予定領域へ設置させる利用者の設置操作等を検出する操作画面を、表示部５１４に表示させる操作画面表示手段である。
【００４８】
本実施形態において、操作画面は、ＢＩＭパーツおよびＢＩＭモデルを少なくとも含む画面であり、当該操作画面上でＢＩＭパーツは移動可能であり、また、ＢＩＭパーツおよび／またはＢＩＭモデルも変更可能である。例えば、利用者の設置操作は、例えば、マウス等の入力部５１８を介して検出される、ＢＩＭパーツをドラッグし、ＢＩＭモデル上の設置予定領域へドロップする操作である。また、表示部５１４がタッチパネルで構成される場合、利用者の設置操作は、例えば、利用者の指がＢＩＭパーツをタッチして選択し、そのままスワイプさせてＢＩＭモデル上の設置予定領域でタッチを離す操作であってもよい。
【００４９】
例えば、操作画面表示部５０２ｂは、図８に示すような操作画面を表示させる。図８は、操作画面の一例を示す図である。図８の操作画面では、画面左側に建築物のＢＩＭモデルと、画面右側に当該ＢＩＭモデルの設置予定領域に設置させる昇降機のＢＩＭパーツが２台、３Ｄ表示されている。図８において、ＢＩＭパーツは、利用者の所定の操作に応じて移動可能である。図８において、２台のＢＩＭパーツは、寸法が異なる。２台のＢＩＭパーツのうち左側のＢＩＭパーツ（１）に比べ、右側のＢＩＭパーツ（２）は大きい寸法で設計されている。
【００５０】
図２に戻り、統合モデリング部５０２ｃは、操作画面表示部５０２ｂにより表示された操作画面を介して検出される設置操作に応じて、ＢＩＭパーツを設置予定領域に設置した統合ＢＩＭモデルを作成する統合モデリング手段である。統合モデリング部５０２ｃは、作成した統合ＢＩＭモデルを記憶部５０６に格納して、統合ＢＩＭモデルデータベース（図示せず）を構築してもよい。
【００５１】
例えば、統合モデリング部５０２ｃは、図９に示すようなレイアウト画面に含まれる統合ＢＩＭモデルを作成する。図９は、統合ＢＩＭモデルを含むレイアウト画面の一例を示す図である。図９では、建築物の完成時におけるエレベータの設置状態を示す統合ＢＩＭモデルの一部が示されている。
【００５２】
図２に戻り、画面生成部５０２ｄは、情報取得部５０２ａにより受信されたＢＩＭパーツを含むレイアウト画面を生成する画面生成手段である。画面生成部５０２ｄは、統合モデリング部５０２ｃにより作成された統合ＢＩＭモデルを含むレイアウト画面を生成してもよい。画面生成部５０２ｄは、制御部５０２により、ＢＩＭパーツが変更された場合、当該変更されたＢＩＭパーツを含むレイアウト画面を生成してもよい。
【００５３】
画面表示部５０２ｅは、画面生成部５０２ｄにより生成されたレイアウト画面を第２の端末装置５００の表示部５１４に表示させる画面表示手段である。
【００５４】
変更画面表示部５０２ｆは、画面表示部５０２ｅにより表示されたレイアウト画面に含まれるＢＩＭパーツに含まれるパーツ情報を変更するための変更画面を、第２の端末装置５００の表示部５１４に表示させる変更画面表示手段である。
【００５５】
例えば、変更画面表示部５０２ｆは、図１０に示すような変更画面を表示させる。図１０は、変更画面の一例を示す図である。図１０の変更画面は、レイアウト画面上で利用者により対象のＢＩＭパーツに対する変更操作が検出された際に表示される画面であり、対象のＢＩＭパーツの含まれるパーツ情報の各設定パラメータの値を変更可能なように、当該ＢＩＭパーツに対応する設定ファイルの内容を一覧形式で示す画面である。これにより、かごサイズや昇降行程などが変更になった場合、該当するＢＩＭパーツのパラメータを変更することで、自動的に機器選定アプリケーションを立ち上げ、再計算を行うことができる。図１０の変更画面では、表示されている変更画面の設定とは別の設定ファイルを新規に作成するための新規作成ボタン、表示されている変更画面の設定を保存する設定ファイルの名称を変更するための名称変更ボタン、表示されている変更画面の設定ファイルを削除するための削除ボタンを含む。図１０の変更画面では、表示されている変更画面の設定パラメータを追加するための追加ボタン、選択した設定パラメータを修正するための修正ボタン、選択した設定パラメータを削除するための削除ボタンを含む。図１０の変更画面では、表示されている変更画面の設定を上書き保存するためのＯＫボタン、設定した内容をキャンセルするためのキャンセルボタン、設定した内容をＢＩＭパーツに適用してＢＩＭパーツを変更するための適用ボタン、変更画面の設定方法等を表示するためのヘルプボタンを含む。
【００５６】
仕様条件生成部５０２ｇは、変更画面表示部５０２ｆにより表示された変更画面上で変更されたＢＩＭパーツのパーツ情報に基づいて、昇降機の仕様条件を生成する仕様条件生成手段である。
【００５７】
仕様条件送信部５０２ｈは、仕様条件生成部５０２ｇにより生成された仕様条件を第１の端末装置１００へ送信する仕様条件送信手段である。
【００５８】
以上で、第１の実施形態におけるＢＩＭシステムの構成の一例の説明を終える。
【００５９】
［第１の実施形態におけるＢＩＭシステムの処理］
このように構成された第１の実施形態におけるＢＩＭシステムの処理の一例について、以下に図１１を参照して詳細に説明する。図１１は、第１の実施形態におけるＢＩＭシステムの処理の一例を示すフローチャートである。
【００６０】
図１１に示すように、第１の端末装置１００の入力画面表示部１０２ａは、各種仕様条件（例えば、昇降機の基本仕様条件や内装意匠仕様条件を含む）を入力するための仕様条件入力画面を、第１の端末装置１００の表示部１１４に表示させる（ステップＳＡ−１）。ステップＳＡ−１において、入力画面表示部１０２ａは、例えば、図３に示すような仕様条件入力画面を表示させる。そして、第１の端末装置１００の制御部１０２は、入力画面表示部１０２ａにより表示された仕様条件入力画面を介して仕様条件の入力を受け付ける。
【００６１】
第１の端末装置１００の機器選定部１０２ｂは、ステップＳＡ−１にて入力画面表示部１０２ａにより表示された仕様条件入力画面を介して入力される昇降機の仕様条件を満たす機器を、機器情報データベース１０６ａに記憶された機器情報から選定して、選定した当該機器情報を含む機器構成一覧表を生成する（ステップＳＡ−２）。ステップＳＡ−２において、機器選定部１０２ｂは、例えば、図４に示すような機器選定結果画面に含まれる機器構成一覧表を生成する。
【００６２】
第１の端末装置１００の結果画面生成部１０２ｃは、ステップＳＡ−２にて機器選定部１０２ｂにより生成された機器構成一覧表、および、当該機器構成一覧表に含まれる機器情報に基づいてＢＩＭパーツの作成条件を生成する処理を実行させるためのＢＩＭボタンを含む機器選定結果画面を生成する（ステップＳＡ−３）。ステップＳＡ−３において、結果画面生成部１０２ｃは、例えば、図４に示すような機器選定結果画面を生成する。
【００６３】
第１の端末装置１００の結果画面表示部１０２ｄは、ステップＳＡ−３にて結果画面生成部１０２ｃにより生成された機器選定結果画面を第１の端末装置１００の表示部１１４に表示させる（ステップＳＡ−４）。ステップＳＡ−４において、結果画面表示部１０２ｄは、例えば、図４に示すような機器選定結果画面を表示させる。
【００６４】
第１の端末装置１００の制御部１０２は、ステップＳＡ−４にて結果画面表示部１０２ｄにより表示された機器選定結果画面に含まれるＢＩＭボタンに対する入力が検出されたか否かを判定する（ステップＳＡ−５）。
【００６５】
第１の端末装置１００の制御部１０２は、ステップＳＡ−５にてＢＩＭボタンに対する入力が検出されなかったと判定した場合（ステップＳＡ−５：Ｎｏ）、ステップＳＡ−４の処理へ戻る。
【００６６】
第１の端末装置１００の作成条件生成部１０２ｅは、ステップＳＡ−５にて制御部１０２によりＢＩＭボタンに対する入力が検出されたと判定された場合（ステップＳＡ−５：Ｙｅｓ）、ステップＳＡ−４にて結果画面表示部１０２ｄにより表示された機器選定結果画面上の機器構成一覧表に含まれる機器情報に基づいてＢＩＭパーツの作成条件を生成する（ステップＳＡ−６）。
【００６７】
第１の端末装置１００の作成条件送信部１０２ｆは、ステップＳＡ−６にて作成条件生成部１０２ｅにより生成された作成条件をサーバ装置２００へ送信する（ステップＳＡ−７）。
【００６８】
サーバ装置２００の作成条件受信部２０２ａは、ステップＳＡ−７にて作成条件送信部１０２ｆにより第１の端末装置１００から送信される作成条件を受信する（ステップＳＡ−８）。
【００６９】
サーバ装置２００の昇降機モデリング部２０２ｂは、ステップＳＡ−８にて作成条件受信部２０２ａにより受信された作成条件に対応する昇降機のＢＩＭパーツを、パーツ情報データベース２０６ａに記憶されたパーツ情報を用いて作成する（ステップＳＡ−９）。ステップＳＡ−９において、昇降機モデリング部２０２ｂは、例えば、図５〜図７に示すような昇降機のＢＩＭパーツを作成する。昇降機モデリング部２０２ｂは、作成条件に合致する範囲内でＢＩＭパーツを複数作成してもよい。昇降機モデリング部２０２ｂは、作成した昇降機のＢＩＭパーツを記憶部２０６に格納して、ＢＩＭパーツデータベース（図示せず）を構築してもよい。
【００７０】
サーバ装置２００の情報提供部２０２ｃは、ステップＳＡ−９にて昇降機モデリング部２０２ｂにより作成された昇降機のＢＩＭパーツ等を含むサーバ装置２００の計算結果を第２の端末装置５００へ送信する（ステップＳＡ−１０）。ステップＳＡ−１０において、情報提供部２０２ｃは、複数のＢＩＭパーツを含む計算結果を第２の端末装置５００へ送信してもよい。
【００７１】
第２の端末装置５００の情報取得部５０２ａは、ステップＳＡ−１０にて情報提供部２０２ｃによりサーバ装置２００から送信される作成条件に対応するＢＩＭパーツを含む計算結果を受信する（ステップＳＡ−１１）。ステップＳＡ−１１において、情報取得部５０２ａは、複数のＢＩＭパーツを含む計算結果をサーバ装置２００から受信してもよい。
【００７２】
第２の端末装置５００の操作画面表示部５０２ｂは、ステップＳＡ−１１にて情報取得部５０２ａによりサーバ装置２００から取得された計算結果に含まれる単数または複数の昇降機のＢＩＭパーツを、ＢＩＭモデルデータベース５０６ａに記憶された建築物のＢＩＭモデル内における当該ＢＩＭパーツの設置予定領域へ設置させる利用者の設置操作等を検出する操作画面を、表示部５１４に表示させる（ステップＳＡ−１２）。ステップＳＡ−１２において、操作画面表示部５０２ｂは、図８に示すような操作画面を表示させる。
【００７３】
第２の端末装置５００の制御部５０２は、操作画面表示部５０２ｂにより表示された操作画面を介して、利用者の設置操作が検出されたか否かを判定する（ステップＳＡ−１３）。
【００７４】
第２の端末装置５００の統合モデリング部５０２ｃは、ステップＳＡ−１３にて制御部５０２により利用者の設置操作が検出されたと判定された場合（ステップＳＡ−１３：Ｙｅｓ）、検出された設置操作に応じて、ＢＩＭパーツを設置予定領域に設置した統合ＢＩＭモデルを作成する（ステップＳＡ−１４）。ステップＳＡ−１４において、例えば、統合モデリング部５０２ｃは、図９に示すようなレイアウト画面に含まれる統合ＢＩＭモデルを作成する。統合モデリング部５０２ｃは、作成した統合ＢＩＭモデルを記憶部５０６に格納して、統合ＢＩＭモデルデータベース（図示せず）を構築してもよい。そして、第２の端末装置５００の画面生成部５０２ｄは、ステップＳＡ−１４にて統合モデリング部５０２ｃにより作成された統合ＢＩＭモデルを含むレイアウト画面を生成する（ステップＳＡ−１５）。その後、ステップＳＡ−１６の処理へ移行する。
【００７５】
ステップＳＡ−１３に戻り、第２の端末装置５００の画面生成部５０２ｄは、ステップＳＡ−１３にて制御部５０２により利用者の設置操作が検出されなかったと判定された場合（ステップＳＡ−１３：Ｎｏ）、ステップＳＡ−１５において、ステップＳＡ−１１にて情報取得部５０２ａにより受信されたＢＩＭパーツを含むレイアウト画面を生成する。この場合、例えば、画面生成部５０２ｄは、図９に示すようなレイアウト画面を生成する。その後、ステップＳＡ−１６の処理へ移行する。
【００７６】
第２の端末装置５００の画面表示部５０２ｅは、ステップＳＡ−１５にて画面生成部５０２ｄにより生成されたレイアウト画面を第２の端末装置５００の表示部５１４に表示させる（ステップＳＡ−１６）。
【００７７】
第２の端末装置５００の制御部５０２は、ステップＳＡ−１６にて画面表示部５０２ｅにより表示されたレイアウト画面上で利用者により対象のＢＩＭパーツに対する変更操作が検出されたか否かを判定する（ステップＳＡ−１７）。
【００７８】
第２の端末装置５００の変更画面表示部５０２ｆは、ステップＳＡ−１７にて制御部５０２により対象のＢＩＭパーツに対する変更操作が検出されたと判定された場合（ステップＳＡ−１７：Ｙｅｓ）、ステップＳＡ−１６にて画面表示部５０２ｅにより表示されたレイアウト画面に含まれるＢＩＭパーツに含まれるパーツ情報を変更するための変更画面を、第２の端末装置５００の表示部５１４に表示させる。変更画面表示部５０２ｆは、例えば、図１０に示すような変更画面を表示させる。そして、第２の端末装置５００の仕様条件生成部５０２ｇは、変更画面表示部５０２ｆにより表示された変更画面上で変更されたＢＩＭパーツのパーツ情報に基づいて、昇降機の仕様条件を生成する（ステップＳＡ−１８）。
【００７９】
第２の端末装置５００の仕様条件送信部５０２ｈは、ステップＳＡ−１８にて仕様条件生成部５０２ｇにより生成された仕様条件を第１の端末装置１００へ送信する（ステップＳＡ−１９）。その後、ステップＳＡ−１の処理へ戻る。この場合、ステップＳＡ−１において、第１の端末装置１００の仕様条件受信部１０２ｇは、ステップＳＡ−１９にて仕様情報送信部５０２ｈにより第２の端末装置５００から送信される仕様条件を受信する。そして、第１の端末装置１００の制御部１０２は、仕様条件受信部１０２ｇにより受信された仕様条件を入力として受け付ける。そして、ステップＳＡ−２へ移行し、第１の端末装置１００の機器選定部１０２ｂは、入力された仕様条件を満たす機器を、機器情報データベース１０６ａに記憶された機器情報から選定して、新たな機器構成一覧表を再生成する。その後、ステップＳＡ−３以降の処理へ進み、変更されたＢＩＭパーツに対応する機器構成一覧表を含む機器選定結果画面を表示する処理、当該機器構成一覧表に含まれる機器情報に基づいて作成条件を再生成する処理、当該作成条件に対応するＢＩＭパーツを再生成する処理が実行される。
【００８０】
ステップＳＡ−１７に戻り、第２の端末装置５００の制御部５０２は、ステップＳＡ−１７にて対象のＢＩＭパーツに対する変更操作が検出されなかったと判定した場合（ステップＳＡ−１７：Ｎｏ）、本処理を終了する。
【００８１】
以上で、第１の実施形態におけるＢＩＭシステムの処理の一例の説明を終える。
【００８２】
このようにして、本実施形態のＢＩＭシステムは、機器選定アプリケーションに必要な情報（例えば、かごサイズ、定員、積載、速度などの基本仕様、昇降行程等の建物情報、かご天井などの内装意匠仕様）を入力し、エレベータ等の昇降機を構成する機器を選定する。そして、本実施形態のＢＩＭシステムは、ＢＩＭパーツの自動生成ツールとしてのＢＩＭアプリケーションによりＢＩＭパーツを作成する。このＢＩＭパーツは選定された機器で構成されており、必要な昇降路寸法を持った状態となっている。また、本実施形態のＢＩＭシステムは、作成されたＢＩＭパーツの仕様（例えば、かごサイズや積載、昇降路寸法など）を変更した場合、自動的に機器選定アプリケーションを立ち上げて、機器の再検討を行う。再検討された機器については再度ＢＩＭパーツへパラメータが渡されて機器の変更が行われる。
【００８３】
これにより、本実施形態のＢＩＭシステムは、エレベータ等の昇降機を構成する機器を選定する機器選定アプリケーションより自動的にパラメータを取得し、要求されたかごサイズ、機器、必要な昇降路寸法等を持った昇降機のＢＩＭパーツを作成するツールを提供することができる。つまり、本実施形態のＢＩＭシステムによれば、エレベータ等の昇降機を構成する機器を選定する機器選定アプリケーションと、昇降機のＢＩＭパーツをモデリングするＢＩＭアプリケーションと、を連動させることができる。これにより、例えば、営業担当者がこの機器選定アプリケーションを用いて客先が所望するエレベータの機器の情報を一旦リストアップし（工程１）、設計担当者がこのリストアップされた機器構成一覧表を検討して、ＢＩＭパーツを作成するための作成条件を入力する（工程２）という非効率な従来のＢＩＭパーツの作成過程を、機器構成一覧表から自動で（例えば、図４の機器選定結果画面の「ＢＩＭボタン」を押す）ＢＩＭパーツの作成条件を生成することで、作成過程を短縮することができる。その結果、従来の作成過程の工程１と工程２の間に生じ得る担当者の誤入力による不整合を防ぐことができる。
【００８４】
更に、本実施形態のＢＩＭシステムは、作成された昇降機のＢＩＭパーツを修正した際に、機器選定アプリケーションを自動的に作動させて、構成する機器、昇降路寸法などを再検討するツールを提供することができる。つまり、本実施形態のＢＩＭシステムによれば、機器選定アプリケーションとＢＩＭアプリケーションとを連動させているので、ＢＩＭシステム側で作成済みのＢＩＭパーツのパーツ情報の設定パラメータを変更した場合、機器選定アプリケーション側でも修正された機器構成一覧表を自動生成することができる。
【００８５】
よって、本実施形態のＢＩＭシステムは、ＢＩＭパーツが持っているデータが常に機器選定アプリケーション上の最新のデータと整合性を保つことができ、正確な機器情報に基づいて検討を行うことができる。また、必要な昇降路寸法も検討が行え、設計ノウハウを持たない営業部門などでも仕様入力を行えば昇降路の納まりを検討できる。
【００８６】
［第２の実施形態］
第２の実施形態について、図１２及び図１３を参照して以下に説明する。なお、第２の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００８７】
［第２の実施形態におけるＢＩＭシステムの構成］
第２の実施形態におけるＢＩＭシステムの構成の一例について、図１２を参照して以下に説明する。図１２は、第２の実施形態におけるＢＩＭシステムの構成の一例を示すブロック図であり、該構成のうち主要な部分を概念的に示している。なお、第２の実施形態においては、通信型のＢＩＭシステムを具体例として説明するが、これに限ることなく、スタンドアロン型のＢＩＭシステムなどにも適用可能である。
【００８８】
図１２に示すように、第２の実施形態のＢＩＭシステムは、概略的に、機器選定アプリケーションやＢＩＭアプリケーション等を搭載した単数または複数の端末装置１００と、昇降機の３次元モデル（すなわち、昇降機のＢＩＭパーツ）等の情報を提供できるサーバ装置２００と、を通信可能に接続して構成される。図１２に示すように、通信には、一例として、ネットワーク３００を介した有線・無線通信等の遠隔通信等を含む。これらＢＩＭシステムの各部は任意の通信路を介して通信可能に接続されている。
【００８９】
図１２に示すように、第２の実施形態のＢＩＭシステムにおいて、端末装置１００は、概略的に、出力部（表示部１１４および音声出力部１１６）と入力部１１８と制御部１０２と記憶部１０６とを少なくとも備える。サーバ装置２００は、概略的に、制御部２０２と記憶部２０６とを少なくとも備える。
【００９０】
［第２の実施形態における端末装置１００］
図１２において、端末装置１００は、第１の実施形態において説明した第１の端末装置１００の機能および第２の端末装置５００の機能を有する。例えば、第２の実施形態において、端末装置１００は、入力される昇降機の仕様条件を満たす機器を、記憶部１０６に記憶された機器情報から選定して、選定した当該機器情報を含む機器構成一覧表を生成する等の機能を有する。端末装置１００は、生成された機器構成一覧表、および、当該機器構成一覧表に含まれる機器情報に基づいてＢＩＭパーツの作成条件を生成する処理を実行させるためのＢＩＭボタンを含む機器選定結果画面を生成する等の機能を有する。端末装置１００は、生成された機器選定結果画面を表示部１１４に表示させ、表示された機器選定結果画面上のＢＩＭボタンに対する入力が検出された場合、機器構成一覧表に含まれる機器情報に基づいてＢＩＭパーツの作成条件を生成する等の機能を有する。端末装置１００は、生成された作成条件をサーバ装置２００へ送信する等の機能を有する。端末装置１００は、サーバ装置２００から送信されたＢＩＭパーツを受信し、受信されたＢＩＭパーツを含むレイアウト画面を生成し、生成されたレイアウト画面を表示部１１４に表示させる等の機能を有する。
【００９１】
図１２において、端末装置１００における通信制御インターフェース部１０４、記憶部１０６（機器情報データベース１０６ａ、および、ＢＩＭモデルデータベース１０６ｂ等）、入出力制御インターフェース部１０８、表示部１１４、音声出力部１１６、および、入力部１１８の各機能は、第１の実施形態と同様であるため説明を省略する。
【００９２】
図１２において、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、入力画面表示部１０２ａ、機器選定部１０２ｂ、結果画面生成部１０２ｃ、結果画面表示部１０２ｄ、作成条件生成部１０２ｅ、作成条件送信部１０２ｆ、情報取得部１０２ｈ、操作画面表示部１０２ｉ、統合モデリング部１０２ｊ、画面生成部１０２ｋ、画面表示部１０２ｍ、変更画面表示部１０２ｎ、および、仕様条件生成部１０２ｐを備える。
【００９３】
このうち、入力画面表示部１０２ａ、機器選定部１０２ｂ、結果画面生成部１０２ｃ、結果画面表示部１０２ｄ、作成条件生成部１０２ｅ、作成条件送信部１０２ｆの各機能は、第１の実施形態と同様であるため説明を省略する。情報取得部１０２ｈ、操作画面表示部１０２ｉ、統合モデリング部１０２ｊ、画面生成部１０２ｋ、画面表示部１０２ｍ、変更画面表示部１０２ｎ、仕様条件生成部１０２ｐの各機能は、第１の実施形態では第２の端末装置５００に備えられていた点を除き、各機能は基本的に同様であるため説明を省略する。このように、第２の実施形態における端末装置１００は、第１の実施形態における第１の端末装置１００および第２の端末装置５００の各機能を備えている。第２の実施形態においては、第１の実施形態における第１の端末装置１００と第２の端末装置５００との間の仕様条件送受信手段を備えていない点を除き、各機能は第１の実施形態と基本的に同様である。
【００９４】
［第２の実施形態におけるサーバ装置２００の構成］
図１２において、サーバ装置２００は、端末装置１００から送信される昇降機の作成条件に対応するＢＩＭパーツを、記憶部２０６に記憶されたパーツ情報を用いて作成し、作成されたＢＩＭパーツを端末装置１００へ送信する等の機能を有する。
【００９５】
図１２において、サーバ装置２００における通信制御インターフェース部２０４、記憶部２０６（パーツ情報データベース２０６ａ等）の機能は、第１の実施形態と同様であるため説明を省略する。
【００９６】
図１２において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、および、情報提供部２０２ｃを備える。
【００９７】
このうち、作成条件受信部２０２ａ、昇降機モデリング部２０２ｂ、情報提供部２０２ｃ各機能は、作成条件受信部２０２ａが端末装置１００から作成条件を受信し、情報提供部２０２ｃが端末装置１００へＢＩＭパーツを含む計算結果を送信する点を除き、第１の実施形態と同様であるため説明を省略する。
【００９８】
以上で、第２の実施形態におけるＢＩＭシステムの構成の一例の説明を終える。
【００９９】
［第２の実施形態におけるＢＩＭシステムの処理］
このように構成された第２の実施形態におけるＢＩＭシステムの処理の一例について、以下に図１３を参照して詳細に説明する。図１３は、第２の実施形態におけるＢＩＭシステムの処理の一例を示すフローチャートである。
【０１００】
図１３に示すように、端末装置１００の入力画面表示部１０２ａは、各種仕様条件（例えば、昇降機の基本仕様条件や内装意匠仕様条件を含む）を入力するための仕様条件入力画面を表示部１１４に表示させる（ステップＳＢ−１）。ステップＳＢ−１において、入力画面表示部１０２ａは、例えば、図３に示すような仕様条件入力画面を表示させる。そして端末装置１００の制御部１０２は、入力画面表示部１０２ａにより表示された仕様条件入力画面を介して仕様条件の入力を受け付ける。
【０１０１】
端末装置１００の機器選定部１０２ｂは、ステップＳＢ−１にて入力画面表示部１０２ａにより表示された仕様条件入力画面を介して入力される昇降機の仕様条件を満たす機器を、機器情報データベース１０６ａに記憶された機器情報から選定して、選定した当該機器情報を含む機器構成一覧表を生成する（ステップＳＢ−２）。ステップＳＢ−２において、機器選定部１０２ｂは、例えば、図４に示すような機器選定結果画面に含まれる機器構成一覧表を生成する。
【０１０２】
端末装置１００の結果画面生成部１０２ｃは、ステップＳＢ−２にて機器選定部１０２ｂにより生成された機器構成一覧表、および、当該機器構成一覧表に含まれる機器情報に基づいてＢＩＭパーツの作成条件を生成する処理を実行させるためのＢＩＭボタンを含む機器選定結果画面を生成する（ステップＳＢ−３）。ステップＳＢ−３において、結果画面生成部１０２ｃは、例えば、図４に示すような機器選定結果画面を生成する。
【０１０３】
端末装置１００の結果画面表示部１０２ｄは、ステップＳＢ−３にて結果画面生成部１０２ｃにより生成された機器選定結果画面を表示部１１４に表示させる（ステップＳＢ−４）。ステップＳＢ−４において、結果画面表示部１０２ｄは、例えば、図４に示すような機器選定結果画面を表示させる。
【０１０４】
端末装置１００の制御部１０２は、ステップＳＢ−４にて結果画面表示部１０２ｄにより表示された機器選定結果画面に含まれるＢＩＭボタンに対する入力が検出されたか否かを判定する（ステップＳＢ−５）。
【０１０５】
端末装置１００の制御部１０２は、ステップＳＢ−５にてＢＩＭボタンに対する入力が検出されなかったと判定した場合（ステップＳＢ−５：Ｎｏ）、ステップＳＢ−４の処理へ戻る。
【０１０６】
端末装置１００の作成条件生成部１０２ｅは、ステップＳＢ−５にて制御部１０２によりＢＩＭボタンに対する入力が検出されたと判定された場合（ステップＳＢ−５：Ｙｅｓ）、ステップＳＢ−４にて結果画面表示部１０２ｄにより表示された機器選定結果画面上の機器構成一覧表に含まれる機器情報に基づいてＢＩＭパーツの作成条件を生成する（ステップＳＢ−６）。
【０１０７】
端末装置１００の作成条件送信部１０２ｆは、ステップＳＢ−６にて作成条件生成部１０２ｅにより生成された作成条件をサーバ装置２００へ送信する（ステップＳＢ−７）。
【０１０８】
サーバ装置２００の作成条件受信部２０２ａは、ステップＳＢ−７にて作成条件送信部１０２ｆにより端末装置１００から送信される作成条件を受信する（ステップＳＢ−８）。
【０１０９】
サーバ装置２００の昇降機モデリング部２０２ｂは、ステップＳＢ−８にて作成条件受信部２０２ａにより受信された作成条件に対応する昇降機のＢＩＭパーツを、パーツ情報データベース２０６ａに記憶されたパーツ情報を用いて作成する（ステップＳＢ−９）。ステップＳＢ−９において、昇降機モデリング部２０２ｂは、例えば、図５〜図７に示すような昇降機のＢＩＭパーツを作成する。昇降機モデリング部２０２ｂは、作成条件に合致する範囲内でＢＩＭパーツを複数作成してもよい。昇降機モデリング部２０２ｂは、作成した昇降機のＢＩＭパーツを記憶部２０６に格納して、ＢＩＭパーツデータベース（図示せず）を構築してもよい。
【０１１０】
サーバ装置２００の情報提供部２０２ｃは、ステップＳＢ−９にて昇降機モデリング部２０２ｂにより作成された昇降機のＢＩＭパーツ等を含むサーバ装置２００の計算結果を端末装置１００へ送信する（ステップＳＢ−１０）。ステップＳＢ−１０において、情報提供部２０２ｃは、複数のＢＩＭパーツを含む計算結果を端末装置１００へ送信してもよい。
【０１１１】
端末装置１００の情報取得部１０２ｈは、ステップＳＢ−１０にて情報提供部２０２ｃによりサーバ装置２００から送信される作成条件に対応するＢＩＭパーツを含む計算結果を受信する（ステップＳＢ−１１）。ステップＳＢ−１１において、情報取得部１０２ｈは、複数のＢＩＭパーツを含む計算結果をサーバ装置２００から受信してもよい。
【０１１２】
端末装置１００の操作画面表示部１０２ｉは、ステップＳＢ−１１にて情報取得部１０２ｈによりサーバ装置２００から取得された計算結果に含まれる単数または複数の昇降機のＢＩＭパーツを、ＢＩＭモデルデータベース１０６ｂに記憶された建築物のＢＩＭモデル内における当該ＢＩＭパーツの設置予定領域へ設置させる利用者の設置操作等を検出する操作画面を、表示部１１４に表示させる（ステップＳＢ−１２）。ステップＳＢ−１２において、操作画面表示部１０２ｉは、図８に示すような操作画面を表示させる。
【０１１３】
端末装置１００の制御部１０２は、操作画面表示部１０２ｉにより表示された操作画面を介して、利用者の設置操作が検出されたか否かを判定する（ステップＳＢ−１３）。
【０１１４】
端末装置１００の統合モデリング部１０２ｊは、ステップＳＢ−１３にて制御部１０２により利用者の設置操作が検出されたと判定された場合（ステップＳＢ−１３：Ｙｅｓ）、検出された設置操作に応じて、ＢＩＭパーツを設置予定領域に設置した統合ＢＩＭモデルを作成する（ステップＳＢ−１４）。ステップＳＢ−１４において、例えば、統合モデリング部１０２ｊは、図９に示すようなレイアウト画面に含まれる統合ＢＩＭモデルを作成する。統合モデリング部１０２ｊは、作成した統合ＢＩＭモデルを記憶部１０６に格納して、統合ＢＩＭモデルデータベース（図示せず）を構築してもよい。そして、端末装置１００の画面生成部１０２ｋは、ステップＳＢ−１４にて統合モデリング部１０２ｊにより作成された統合ＢＩＭモデルを含むレイアウト画面を生成する（ステップＳＢ−１５）。その後、ステップＳＢ−１６の処理へ移行する。
【０１１５】
ステップＳＢ−１３に戻り、端末装置１００の画面生成部１０２ｋは、ステップＳＢ−１３にて制御部１０２により利用者の設置操作が検出されなかったと判定された場合（ステップＳＢ−１３：Ｎｏ）、ステップＳＢ−１５において、ステップＳＢ−１１にて情報取得部１０２ｈにより受信されたＢＩＭパーツを含むレイアウト画面を生成する。この場合、例えば、画面生成部１０２ｋは、図９に示すようなレイアウト画面を生成する。その後、ステップＳＢ−１６の処理へ移行する。
【０１１６】
端末装置１００の画面表示部１０２ｍは、ステップＳＢ−１５にて画面生成部１０２ｋにより生成されたレイアウト画面を表示部１１４に表示させる（ステップＳＢ−１６）。
【０１１７】
端末装置１００の制御部１０２は、ステップＳＢ−１６にて画面表示部１０２ｍにより表示されたレイアウト画面上で利用者により対象のＢＩＭパーツに対する変更操作が検出されたか否かを判定する（ステップＳＢ−１７）。
【０１１８】
端末装置１００の変更画面表示部１０２ｎは、ステップＳＢ−１７にて制御部１０２により対象のＢＩＭパーツに対する変更操作が検出されたと判定された場合（ステップＳＢ−１７：Ｙｅｓ）、ステップＳＢ−１６にて画面表示部１０２ｍにより表示されたレイアウト画面に含まれるＢＩＭパーツに含まれるパーツ情報を変更するための変更画面を表示部１１４に表示させる。変更画面表示部１０２ｎは、例えば、図１０に示すような変更画面を表示させる。そして、端末装置１００の仕様条件生成部１０２ｐは、変更画面表示部１０２ｎにより表示された変更画面上で変更されたＢＩＭパーツのパーツ情報に基づいて、昇降機の仕様条件を生成する（ステップＳＢ−１８）。その後、ステップＳＢ−１の処理へ戻る。
【０１１９】
この場合、ステップＳＢ−１において、端末装置１００の制御部１０２は、仕様条件生成部１０２ｐにより生成された仕様条件を入力として受け付ける。そして、ステップＳＢ−２へ移行し、端末装置１００の機器選定部１０２ｂは、入力された仕様条件を満たす機器を、機器情報データベース１０６ａに記憶された機器情報から選定して、新たな機器構成一覧表を再生成する。その後、ステップＳＢ−３以降の処理へ進み、変更されたＢＩＭパーツに対応する機器構成一覧表を含む機器選定結果画面を表示する処理、当該機器構成一覧表に含まれる機器情報に基づいて作成条件を再生成する処理、当該作成条件に対応するＢＩＭパーツを再生成する処理が実行される。
【０１２０】
ステップＳＢ−１７に戻り、端末装置１００の制御部１０２は、ステップＳＢ−１７にて対象のＢＩＭパーツに対する変更操作が検出されなかったと判定した場合（ステップＳＢ−１７：Ｎｏ）、本処理を終了する。
【０１２１】
以上で、第２の実施形態におけるＢＩＭシステムの処理の一例の説明を終える。
【０１２２】
なお、第２の実施形態のＢＩＭシステムにおいても、第１の実施形態と同様の効果を有する。
【０１２３】
［第３の実施形態］
第３の実施形態について、図１４および図１５を参照して以下に説明する。ここで、図１４は、第３の実施形態におけるＢＩＭシステムの構成の一例を示すブロック図であり、該構成のうち本実施形態に関係する部分を概念的に示している。なお、第３の実施形態においては、通信型のＢＩＭシステムを具体例として説明するが、これに限ることなく、スタンドアロン型のＢＩＭシステムなどにも適用可能である。
【０１２４】
第３の実施形態においては、サーバ装置２００側で機器情報に基づいて作成条件を生成し、当該作成条件に対応するＢＩＭパーツを含むレイアウト画面を端末装置１００へ送信して、当該端末装置１００の表示部１１４に表示させるように制御している。このように、第３の実施形態は、サーバ装置２００にてサーバ主導で処理を行う点が、その他の実施形態と異なる。
【０１２５】
［第３の形態におけるＢＩＭシステムの構成］
第３の実施形態におけるＢＩＭシステムの構成の一例について、図１４を参照して以下に説明する。
【０１２６】
図１４に示すように、第３の実施形態のサーバ装置２００は、出力部（表示部１１４および音声出力部１１６）と入力部１１８と制御部１０２とを少なくとも備えた、機器選定アプリケーションやＢＩＭアプリケーション等を搭載した単数または複数の端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【０１２７】
［第３の実施形態における端末装置１００］
図１４において、端末装置１００は、入力される昇降機の仕様条件を満たす機器を、記憶部１０６に記憶された機器情報から選定して、選定した当該機器情報を含む機器構成一覧表を生成する等の機能を有する。端末装置１００は、生成された機器構成一覧表、および、当該機器構成一覧表に含まれる機器情報に基づいてＢＩＭパーツの作成条件を生成する処理を実行させるためのＢＩＭボタンを含む機器選定結果画面を生成する等の機能を有する。端末装置１００は、生成された機器選定結果画面を表示部１１４に表示させ、表示された機器選定結果画面上のＢＩＭボタンに対する入力が検出された場合、当該機器構成一覧表に含まれる機器情報をサーバ装置２００へ送信する等の機能を有する。
【０１２８】
図１４において、端末装置１００における通信制御インターフェース部１０４、記憶部１０６（機器情報データベース１０６ａ、および、ＢＩＭモデルデータベース１０６ｂ等）、入出力制御インターフェース部１０８、表示部１１４、音声出力部１１６、および、入力部１１８の各機能は、第１の実施形態と同様であるため説明を省略する。
【０１２９】
図１４において、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、入力画面表示部１０２ａ、機器選定部１０２ｂ、結果画面生成部１０２ｃ、結果画面表示部１０２ｄ、変更画面表示部１０２ｎ、仕様条件生成部１０２ｐ、および、機器情報送信部１０２ｑを備える。
【０１３０】
このうち、入力画面表示部１０２ａ、機器選定部１０２ｂ、結果画面生成部１０２ｃ、結果画面表示部１０２ｄ、変更画面表示部１０２ｎ、仕様条件生成部１０２ｐの各機能は、第１の実施形態と同様であるため説明を省略する。
【０１３１】
機器情報送信部１０２ｑは、結果画面表示部１０２ｄにより表示された機器選定結果画面上のＢＩＭボタンに対する入力が検出された場合、機器構成一覧表に含まれる機器情報をサーバ装置２００へ送信する機器情報送信手段である。
【０１３２】
［第３の実施形態におけるサーバ装置２００の構成］
図１４において、サーバ装置２００は、端末装置１００から送信される機器情報に基づいて昇降機の作成条件を生成し、当該作成条件に対応するＢＩＭパーツを記憶部２０６に記憶されたパーツ情報を用いて作成する等の機能を有する。サーバ装置２００は、当該作成条件に対応するＢＩＭパーツを含むレイアウト画面を端末装置１００へ送信して、当該端末装置１００の表示部１１４に表示させるように制御する等の機能を有する。
【０１３３】
図１４において、サーバ装置２００における通信制御インターフェース部２０４、記憶部２０６（パーツ情報データベース２０６ａ等）の機能は、第１の実施形態と同様であるため説明を省略する。なお、記憶部２０６のうち、ＢＩＭモデルファイル２０６ｂには、端末装置１００側の記憶部１０６のＢＩＭモデルデータベース１０６ｂに記憶された複数の建築物のＢＩＭモデルのうち、対象の建築物のＢＩＭモデルが予めサーバ装置２００側へ転送されて一時的に記憶されているものとする。
【０１３４】
図１４において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、昇降機モデリング部２０２ｂ、機器情報受信部２０２ｄ、作成条件生成部２０２ｅ、画面生成部２０２ｆ、画面表示制御部２０２ｇ、操作画面表示制御部２０２ｈ、および、統合モデリング部２０２ｉを備える。
【０１３５】
このうち、昇降機モデリング部２０２ｂは、後述の作成条件生成部２０２ｅにより生成された作成条件に対応する昇降機のＢＩＭパーツを、パーツ情報データベース２０６ａに記憶されたパーツ情報を用いて作成する昇降機モデリング手段である。昇降機モデリング部２０２ｂは、作成条件に合致する範囲内でＢＩＭパーツを複数作成してもよい。昇降機モデリング部２０２ｂは、作成した昇降機のＢＩＭパーツを記憶部２０６に格納して、ＢＩＭパーツデータベース（図示せず）を構築してもよい。
【０１３６】
機器情報受信部２０２ｄは、端末装置１００から送信される機器情報を受信する機器情報受信手段である。
【０１３７】
作成条件生成部２０２ｅは、機器情報受信部２０２ｄにより受信された機器情報に基づいて、ＢＩＭパーツの作成条件を生成する作成条件生成手段である。
【０１３８】
画面生成部２０２ｆは、昇降機モデリング部２０２ｂにより作成されたＢＩＭパーツを含むレイアウト画面を生成する画面生成手段である。画面生成部２０２ｆは、後述の統合モデリング部２０２ｉにより作成された統合ＢＩＭモデルを含むレイアウト画面を生成してもよい。画面生成部２０２ｆは、ＢＩＭパーツが変更された場合、当該変更されたＢＩＭパーツを含むレイアウト画面を生成してもよい。
【０１３９】
画面表示制御部２０２ｇは、画面生成部２０２ｆにより生成されたレイアウト画面を端末装置１００へ送信して、当該端末装置１００の表示部１１４に表示させるように制御する画面表示制御手段である。
【０１４０】
操作画面表示制御部２０２ｈは、昇降機モデリング部２０２ｂにより作成された単数または複数の昇降機のＢＩＭパーツを、ＢＩＭモデルファイル２０６ｂに記憶された建築物のＢＩＭモデル内における当該ＢＩＭパーツの設置予定領域へ設置させる利用者の設置操作等を検出する操作画面を端末装置１００へ送信して、当該端末装置１００の表示部１１４に表示させるように制御する操作画面表示制御手段である。
【０１４１】
統合モデリング部２０２ｉは、操作画面表示制御部２０２ｈにより表示された操作画面を介して検出される設置操作に応じた制御信号を受信し、受信した制御信号に応じてＢＩＭパーツを設置予定領域に設置した統合ＢＩＭモデルを作成する統合モデリング手段である。統合モデリング部２０２ｉは、作成した統合ＢＩＭモデルを記憶部２０６に格納して、統合ＢＩＭモデルデータベース（図示せず）を構築してもよい。
【０１４２】
［第３の実施形態におけるＢＩＭシステムの処理］
このように構成された第３の実施形態におけるＢＩＭシステムの処理の一例について、以下に図１５を参照して詳細に説明する。図１５は、第３の実施形態におけるＢＩＭシステムの処理の一例を示すフローチャートである。
【０１４３】
図１５に示すように、端末装置１００の入力画面表示部１０２ａは、各種仕様条件（例えば、昇降機の基本仕様条件や内装意匠仕様条件を含む）を入力するための仕様条件入力画面を、端末装置１００の表示部１１４に表示させる（ステップＳＣ−１）。ステップＳＣ−１において、入力画面表示部１０２ａは、例えば、図３に示すような仕様条件入力画面を表示させる。そして端末装置１００の制御部１０２は、入力画面表示部１０２ａにより表示された仕様条件入力画面を介して仕様条件の入力を受け付ける。
【０１４４】
端末装置１００の機器選定部１０２ｂは、ステップＳＣ−１にて入力画面表示部１０２ａにより表示された仕様条件入力画面を介して入力される昇降機の仕様条件を満たす機器を、機器情報データベース１０６ａに記憶された機器情報から選定して、選定した当該機器情報を含む機器構成一覧表を生成する（ステップＳＣ−２）。ステップＳＣ−２において、機器選定部１０２ｂは、例えば、図４に示すような機器選定結果画面に含まれる機器構成一覧表を生成する。
【０１４５】
端末装置１００の結果画面生成部１０２ｃは、ステップＳＣ−２にて機器選定部１０２ｂにより生成された機器構成一覧表、および、当該機器構成一覧表に含まれる機器情報に基づいてＢＩＭパーツの作成条件を生成する処理を実行させるためのＢＩＭボタンを含む機器選定結果画面を生成する（ステップＳＣ−３）。ステップＳＣ−３において、結果画面生成部１０２ｃは、例えば、図４に示すような機器選定結果画面を生成する。
【０１４６】
端末装置１００の結果画面表示部１０２ｄは、ステップＳＣ−３にて結果画面生成部１０２ｃにより生成された機器選定結果画面を表示部１１４に表示させる（ステップＳＣ−４）。ステップＳＣ−４において、結果画面表示部１０２ｄは、例えば、図４に示すような機器選定結果画面を表示させる。
【０１４７】
端末装置１００の制御部１０２は、ステップＳＣ−４にて結果画面表示部１０２ｄにより表示された機器選定結果画面に含まれるＢＩＭボタンに対する入力が検出されたか否かを判定する（ステップＳＣ−５）。
【０１４８】
端末装置１００の制御部１０２は、ステップＳＣ−５にてＢＩＭボタンに対する入力が検出されなかったと判定した場合（ステップＳＣ−５：Ｎｏ）、ステップＳＣ−４の処理へ戻る。
【０１４９】
端末装置１００の機器情報送信部１０２ｑは、ステップＳＣ−５にて制御部１０２によりＢＩＭボタンに対する入力が検出されたと判定された場合（ステップＳＣ−５：Ｙｅｓ）、ステップＳＣ−４にて結果画面表示部１０２ｄにより表示された機器選定結果画面上の機器構成一覧表に含まれる機器情報をサーバ装置２００へ送信する（ステップＳＣ−６）。
【０１５０】
サーバ装置２００の機器情報受信部２０２ｄは、ステップＳＣ−６にて機器情報送信部１０２ｑにより端末装置１００から送信される機器情報を受信する（ステップＳＣ−７）。
【０１５１】
サーバ装置２００の作成条件生成部２０２ｅは、ステップＳＣ−８にて機器情報受信部２０２ｄにより受信された機器情報に基づいて、ＢＩＭパーツの作成条件を生成する（ステップＳＣ−８）。
【０１５２】
サーバ装置２００の昇降機モデリング部２０２ｂは、ステップＳＣ−８にて作成条件生成部２０２ｅにより生成された作成条件に対応する昇降機のＢＩＭパーツを、パーツ情報データベース２０６ａに記憶されたパーツ情報を用いて作成する（ステップＳＣ−９）。ステップＳＣ−９において、昇降機モデリング部２０２ｂは、例えば、図５〜図７に示すような昇降機のＢＩＭパーツを作成する。昇降機モデリング部２０２ｂは、作成条件に合致する範囲内でＢＩＭパーツを複数作成してもよい。昇降機モデリング部２０２ｂは、作成した昇降機のＢＩＭパーツを記憶部２０６に格納して、ＢＩＭパーツデータベース（図示せず）を構築してもよい。
【０１５３】
サーバ装置２００の操作画面表示制御部２０２ｈは、ステップＳＣ−９にて昇降機モデリング部２０２ｂにより作成された単数または複数の昇降機のＢＩＭパーツを、ＢＩＭモデルファイル２０６ｂに記憶された建築物のＢＩＭモデル内における当該ＢＩＭパーツの設置予定領域へ設置させる利用者の設置操作等を検出する操作画面を端末装置１００へ送信して（ステップＳＣ−１０）、当該端末装置１００の表示部１１４に表示させるように制御する（ステップＳＣ−１１）。ステップＳＢ−１０〜ステップＳＢ−１１において、操作画面表示制御部２０２ｈは、図８に示すような操作画面を表示させる。
【０１５４】
端末装置１００の制御部１０２は、操作画面表示制御部２０２ｈにより表示された操作画面を介して、利用者の設置操作が検出されたか否かを判定する（ステップＳＣ−１２）。
【０１５５】
サーバ装置２００の統合モデリング部２０２ｉは、ステップＳＣ−１２にて端末装置１００の制御部１０２により利用者の設置操作が検出されたと判定された場合（ステップＳＣ−１２：Ｙｅｓ）、端末装置１００から送信される設置操作に応じた制御信号を受信し、受信した制御信号に応じてＢＩＭパーツを設置予定領域に設置した統合ＢＩＭモデルを作成する（ステップＳＣ−１３）。ステップＳＣ−１３において、例えば、統合モデリング部２０２ｉは、図９に示すようなレイアウト画面に含まれる統合ＢＩＭモデルを作成する。統合モデリング部２０２ｉは、作成した統合ＢＩＭモデルを記憶部２０６に格納して、統合ＢＩＭモデルデータベース（図示せず）を構築してもよい。そして、サーバ装置２００の画面生成部２０２ｆは、ステップＳＣ−１３にて統合モデリング部２０２ｉにより作成された統合ＢＩＭモデルを含むレイアウト画面を生成する（ステップＳＣ−１４）。その後、ステップＳＣ−１５の処理へ移行する。
【０１５６】
ステップＳＣ−１２に戻り、端末装置１００の制御部１０２は、ステップＳＣ−１２にて利用者の設置操作が検出されなかったと判定した場合（ステップＳＣ−１２：Ｎｏ）、統合ＢＩＭモデルを作成せずに、ステップＳＣ−１６の処理へ移行する。この場合、ステップＳＣ−１４において、サーバ装置２００の画面生成部２０２ｆは、ステップＳＣ−９にて昇降機モデリング部２０２ｂにより作成されたＢＩＭパーツを含むレイアウト画面を生成する。例えば、画面生成部２０２ｆは、図９に示すようなレイアウト画面を生成する。その後、ステップＳＣ−１５の処理へ移行する。
【０１５７】
サーバ装置２００の画面表示制御部２０２ｇは、ステップＳＣ−１４にて画面生成部２０２ｆにより生成されたレイアウト画面を端末装置１００へ送信して（ステップＳＣ−１５）、当該端末装置１００の表示部１１４に表示させるように制御する（ステップＳＣ−１６）。
【０１５８】
端末装置１００の制御部１０２は、ステップＳＣ−１５〜ステップＳＣ−１６にて画面表示制御部２０２ｇにより表示されたレイアウト画面上で利用者により対象のＢＩＭパーツに対する変更操作が検出されたか否かを判定する（ステップＳＣ−１７）。
【０１５９】
端末装置１００の変更画面表示部１０２ｎは、ステップＳＣ−１７にて制御部１０２により対象のＢＩＭパーツに対する変更操作が検出されたと判定された場合（ステップＳＣ−１７：Ｙｅｓ）、ステップＳＣ−１５〜ステップＳＣ−１６にて画面表示制御部２０２ｇにより表示されたレイアウト画面に含まれるＢＩＭパーツに含まれるパーツ情報を変更するための変更画面を、端末装置１００の表示部１１４に表示させる。変更画面表示部１０２ｎは、例えば、図１０に示すような変更画面を表示させる。そして、端末装置１００の仕様条件生成部１０２ｐは、変更画面表示部１０２ｎにより表示された変更画面上で変更されたＢＩＭパーツのパーツ情報に基づいて、昇降機の仕様条件を生成する（ステップＳＣ−１８）。その後、ステップＳＣ−１の処理へ戻る。
【０１６０】
この場合、ステップＳＣ−１において、端末装置１００の制御部１０２は、仕様条件生成部１０２ｐにより生成された仕様条件を入力として受け付ける。そして、ステップＳＣ−２へ移行し、端末装置１００の機器選定部１０２ｂは、入力された仕様条件を満たす機器を、機器情報データベース１０６ａに記憶された機器情報から選定して、新たな機器構成一覧表を再生成する。その後、ステップＳＣ−３以降の処理へ進み、変更されたＢＩＭパーツに対応する機器構成一覧表を含む機器選定結果画面を表示する処理、当該機器構成一覧表に含まれる機器情報に基づいて作成条件を再生成する処理、当該作成条件に対応するＢＩＭパーツを再生成する処理が実行される。
【０１６１】
ステップＳＣ−１７に戻り、端末装置１００の制御部１０２は、ステップＳＣ−１７にて対象のＢＩＭパーツに対する変更操作が検出されなかったと判定した場合（ステップＳＣ−１７：Ｎｏ）、本処理を終了する。
【０１６２】
以上で、第３の実施形態におけるＢＩＭシステムの処理の一例の説明を終える。
【０１６３】
なお、第３の実施形態のＢＩＭシステムにおいても、第１の実施形態と同様の効果を有する。
【０１６４】
［第４の実施形態］
第４の実施形態について、図１６および図１７を参照して以下に説明する。ここで、図１６は、第４の実施形態におけるＢＩＭシステムの構成の一例を示すブロック図であり、該構成のうち本実施形態に関係する部分を概念的に示している。ここで、第４の実施形態におけるＢＩＭシステムは、スタンドアロン型に構成され単独で処理を行うＢＩＭ装置４００により実現される。
【０１６５】
なお、第４の実施形態においては、全ての機能をＢＩＭ装置４００に集約し、当該ＢＩＭ装置４００は、入力される昇降機の仕様条件を満たす機器を、記憶部４０６に記憶された機器情報から選定して、選定した当該機器情報を含む機器構成一覧表を生成する等の機能を有する。ＢＩＭ装置４００は、生成された機器構成一覧表、および、当該機器構成一覧表に含まれる機器情報に基づいてＢＩＭパーツの作成条件を生成する処理を実行させるためのＢＩＭボタンを含む機器選定結果画面を生成する等の機能を有する。ＢＩＭ装置４００は、生成された機器選定結果画面を表示部に表示させ、表示された機器選定結果画面上のＢＩＭボタンに対する入力が検出された場合、機器構成一覧表に含まれる機器情報に基づいてＢＩＭパーツの作成条件を生成する等の機能を有する。ＢＩＭ装置４００は、生成された作成条件に対応するＢＩＭパーツを、記憶部４０６に記憶されたパーツ情報を用いて作成し、作成されたＢＩＭパーツを含むレイアウト画面を生成し、生成されたレイアウト画面を表示部４１４に表示させる等の機能を有する。このように、第４の実施形態は、ＢＩＭ装置４００がスタンドアロン型に構成され単独で処理を行う点がその他の実施形態と異なる。
【０１６６】
［第４の実施形態におけるＢＩＭシステムの構成］
第４の実施形態におけるＢＩＭシステムの構成の一例について、図１６を参照して以下に説明する。
【０１６７】
図１６に示すように、第４の実施形態のＢＩＭ装置４００は、出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１６８】
図１６において、入出力制御インターフェース部４０８、表示部４１４、音声出力部４１６、および、入力部４１８の各機能は、第１の実施形態と同様であるため説明を省略する。また、記憶部４０６の各部（機器情報データベース４０６ａ、パーツ情報データベース４０６ｂ、および、ＢＩＭモデルデータベース４０６ｃ等）についても、ＢＩＭ装置４００に備えられている点を除き、各機能が第１の実施形態と同様であるため説明を省略する。
【０１６９】
制御部４０２の各部については、本実施形態のＢＩＭ装置４００がスタンドアロン型であり、制御部４０２が各送信部を備えていない点を除き、各機能は第１の実施形態と基本的に同様である。
【０１７０】
図１６において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、入力画面表示部４０２ａ、機器選定部４０２ｂ、結果画面生成部４０２ｃ、結果画面表示部４０２ｄ、作成条件生成部４０２ｅ、昇降機モデリング部４０２ｆ、操作画面表示部４０２ｇ、統合モデリング部４０２ｈ、画面生成部４０２ｉ、画面表示部４０２ｊ、変更画面表示部４０２ｋ、および、仕様条件生成部４０２ｍを備える。
【０１７１】
このうち、入力画面表示部４０２ａ、機器選定部４０２ｂ、結果画面生成部４０２ｃ、結果画面表示部４０２ｄ、作成条件生成部４０２ｅの各機能は、第１の実施形態と同様であるため説明を省略する。昇降機モデリング部４０２ｆの機能は、第３の実施形態と同様であるため説明を省略する。
【０１７２】
操作画面表示部４０２ｇは、昇降機モデリング部４０２ｆにより作成された単数または複数の昇降機のＢＩＭパーツを、ＢＩＭモデルデータベース４０６ｃに記憶された建築物のＢＩＭモデル内における当該ＢＩＭパーツの設置予定領域へ設置させる利用者の設置操作等を検出する操作画面を、表示部４１４に表示させる操作画面表示手段である。
【０１７３】
統合モデリング部４０２ｈ、画面生成部４０２ｉ、画面表示部４０２ｊ、変更画面表示部４０２ｋ、および、仕様条件生成部４０２ｍの各機能は、第１の実施形態と同様であるため説明を省略する。
【０１７４】
以上で、第４の実施形態におけるＢＩＭシステムの構成の一例の説明を終える。
【０１７５】
［第４の実施形態におけるＢＩＭシステムの処理］
このように構成された第４の実施形態におけるＢＩＭシステムの処理の一例について、以下に図１７を参照して詳細に説明する。図１７は、第４の実施形態におけるＢＩＭシステムの処理の一例を示すフローチャートである。
【０１７６】
図１７に示すように、入力画面表示部４０２ａは、各種仕様条件（例えば、昇降機の基本仕様条件や内装意匠仕様条件を含む）を入力するための仕様条件入力画面を、表示部４１４に表示させる（ステップＳＤ−１）。ステップＳＤ−１において、入力画面表示部４０２ａは、例えば、図３に示すような仕様条件入力画面を表示させる。そして、制御部４０２は、入力画面表示部４０２ａにより表示された仕様条件入力画面を介して仕様条件の入力を受け付ける。
【０１７７】
機器選定部４０２ｂは、ステップＳＤ−１にて入力画面表示部４０２ａにより表示された仕様条件入力画面を介して入力される昇降機の仕様条件を満たす機器を、機器情報データベース４０６ａに記憶された機器情報から選定して、選定した当該機器情報を含む機器構成一覧表を生成する（ステップＳＤ−２）。ステップＳＤ−２において、機器選定部４０２ｂは、例えば、図４に示すような機器選定結果画面に含まれる機器構成一覧表を生成する。
【０１７８】
結果画面生成部４０２ｃは、ステップＳＤ−２にて機器選定部４０２ｂにより生成された機器構成一覧表、および、当該機器構成一覧表に含まれる機器情報に基づいてＢＩＭパーツの作成条件を生成する処理を実行させるためのＢＩＭボタンを含む機器選定結果画面を生成する（ステップＳＤ−３）。ステップＳＤ−３において、結果画面生成部４０２ｃは、例えば、図４に示すような機器選定結果画面を生成する。
【０１７９】
結果画面表示部４０２ｄは、ステップＳＤ−３にて結果画面生成部４０２ｃにより生成された機器選定結果画面を表示部４１４に表示させる（ステップＳＤ−４）。ステップＳＤ−４において、結果画面表示部４０２ｄは、例えば、図４に示すような機器選定結果画面を表示させる。
【０１８０】
制御部４０２は、ステップＳＤ−４にて結果画面表示部４０２ｄにより表示された機器選定結果画面に含まれるＢＩＭボタンに対する入力が検出されたか否かを判定する（ステップＳＤ−５）。
【０１８１】
制御部４０２は、ステップＳＤ−５にてＢＩＭボタンに対する入力が検出されなかったと判定した場合（ステップＳＤ−５：Ｎｏ）、ステップＳＤ−４の処理へ戻る。
【０１８２】
作成条件生成部４０２ｅは、ステップＳＤ−５にて制御部４０２によりＢＩＭボタンに対する入力が検出されたと判定された場合（ステップＳＤ−５：Ｙｅｓ）、ステップＳＤ−４にて結果画面表示部４０２ｄにより表示された機器選定結果画面上の機器構成一覧表に含まれる機器情報に基づいてＢＩＭパーツの作成条件を生成する（ステップＳＤ−６）。
【０１８３】
昇降機モデリング部４０２ｆは、ステップＳＤ−６にて作成条件生成部４０２ｅにより生成された作成条件に対応する昇降機のＢＩＭパーツを、パーツ情報データベース４０６ｂに記憶されたパーツ情報を用いて作成する（ステップＳＤ−７）。ステップＳＤ−７において、昇降機モデリング部４０２ｆは、例えば、図５〜図７に示すような昇降機のＢＩＭパーツを作成する。昇降機モデリング部４０２ｆは、作成条件に合致する範囲内でＢＩＭパーツを複数作成してもよい。昇降機モデリング部４０２ｆは、作成した昇降機のＢＩＭパーツを記憶部４０６に格納して、ＢＩＭパーツデータベース（図示せず）を構築してもよい。
【０１８４】
操作画面表示部４０２ｇは、ステップＳＤ−７にて昇降機モデリング部４０２ｆにより作成された単数または複数の昇降機のＢＩＭパーツを、ＢＩＭモデルデータベース４０６ｃに記憶された建築物のＢＩＭモデル内における当該ＢＩＭパーツの設置予定領域へ設置させる利用者の設置操作等を検出する操作画面を、表示部４１４に表示させる（ステップＳＤ−８）。ステップＳＤ−８において、操作画面表示部４０２ｇは、図８に示すような操作画面を表示させる。
【０１８５】
制御部４０２は、操作画面表示部４０２ｇにより表示された操作画面を介して、利用者の設置操作が検出されたか否かを判定する（ステップＳＤ−９）。
【０１８６】
統合モデリング部４０２ｈは、ステップＳＤ−９にて制御部４０２により利用者の設置操作が検出されたと判定された場合（ステップＳＤ−９：Ｙｅｓ）、検出された設置操作に応じて、ＢＩＭパーツを設置予定領域に設置した統合ＢＩＭモデルを作成する（ステップＳＤ−１０）。ステップＳＤ−１０において、例えば、統合モデリング部４０２ｈは、図９に示すようなレイアウト画面に含まれる統合ＢＩＭモデルを作成する。統合モデリング部４０２ｈは、作成した統合ＢＩＭモデルを記憶部４０６に格納して、統合ＢＩＭモデルデータベース（図示せず）を構築してもよい。そして、画面生成部４０２ｉは、ステップＳＤ−１０にて統合モデリング部４０２ｈにより作成された統合ＢＩＭモデルを含むレイアウト画面を生成する（ステップＳＤ−１１）。その後、ステップＳＤ−１２の処理へ移行する。
【０１８７】
ステップＳＤ−９に戻り、ステップＳＤ−９にて制御部４０２により利用者の設置操作が検出されなかったと判定された場合（ステップＳＤ−９：Ｎｏ）、ステップＳＤ−１１において、画面生成部４０２ｉは、ステップＳＤ−７にて昇降機モデリング部４０２ｆにより作成されたＢＩＭパーツを含むレイアウト画面を生成する。この場合、例えば、画面生成部４０２ｉは、図９に示すようなレイアウト画面を生成する。その後、ステップＳＤ−１２の処理へ移行する。
【０１８８】
画面表示部４０２ｊは、ステップＳＤ−１１にて画面生成部４０２ｉにより生成されたレイアウト画面を表示部４１４に表示させる（ステップＳＤ−１２）。
【０１８９】
制御部４０２は、ステップＳＤ−１２にて画面表示部４０２ｊにより表示されたレイアウト画面上で利用者により対象のＢＩＭパーツに対する変更操作が検出されたか否かを判定する（ステップＳＤ−１３）。
【０１９０】
変更画面表示部４０２ｋは、ステップＳＤ−１３にて制御部４０２により対象のＢＩＭパーツに対する変更操作が検出されたと判定された場合（ステップＳＤ−１３：Ｙｅｓ）、ステップＳＤ−１２にて画面表示部４０２ｊにより表示されたレイアウト画面に含まれるＢＩＭパーツに含まれるパーツ情報を変更するための変更画面を、表示部４１４に表示させる。変更画面表示部４０２ｋは、例えば、図１０に示すような変更画面を表示させる。そして、仕様条件生成部４０２ｍは、変更画面表示部４０２ｋにより表示された変更画面上で変更されたＢＩＭパーツのパーツ情報に基づいて、昇降機の仕様条件を生成する（ステップＳＤ−１４）。その後、ステップＳＤ−１の処理へ戻る。
【０１９１】
この場合、ステップＳＤ−１において、制御部４０２は、仕様条件生成部４０２ｍにより生成された仕様条件を入力として受け付ける。そして、ステップＳＤ−２へ移行し、機器選定部４０２ｂは、入力された仕様条件を満たす機器を、機器情報データベース４０６ａに記憶された機器情報から選定して、新たな機器構成一覧表を再生成する。その後、ステップＳＤ−３以降の処理へ進み、変更されたＢＩＭパーツに対応する機器構成一覧表を含む機器選定結果画面を表示する処理、当該機器構成一覧表に含まれる機器情報に基づいて作成条件を再生成する処理、当該作成条件に対応するＢＩＭパーツを再生成する処理が実行される。
【０１９２】
ステップＳＤ−１３に戻り、制御部４０２は、ステップＳＤ−１３にて対象のＢＩＭパーツに対する変更操作が検出されなかったと判定した場合（ステップＳＤ−１３：Ｎｏ）、本処理を終了する。
【０１９３】
以上で、第４の実施形態におけるＢＩＭシステムの処理の一例の説明を終える。
【０１９４】
なお、第４の実施形態のＢＩＭシステムにおいても、第１の実施形態と同様の効果を有する。
【０１９５】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１９６】
例えば、上述の実施形態では、昇降機としてエレベータを例にして説明したが、エスカレータ、動く歩道等の乗客コンベアについても同様に本発明を適用できる。この他、上述の実施形態では、機器選定アプリケーションよりＢＩＭパーツを作成しているが、昇降路寸法、定員、積載、速度といった基本情報を与えたＢＩＭパーツから、機器選定アプリケーションを起動させることにより、必要なかごサイズ等を検討させることもできる。
【０１９７】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１９８】
この他、上記文献中や図面中で示した処理手順、制御手順、具体的名称、各処理の登録データや検索条件等のパラメータを含む情報、画面例、データベース構成については、特記する場合を除いて任意に変更することができる。
【０１９９】
また、端末装置１００、サーバ装置２００、および、ＢＩＭ装置４００に関して、図示の各構成要素は機能概念的なものであり、必ずしも物理的に図示の如く構成されていることを要しない。
【０２００】
例えば、端末装置１００、サーバ装置２００、および、ＢＩＭ装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。なお、プログラムは、後述する記録媒体に記録されており、必要に応じて端末装置１００、サーバ装置２００、および、ＢＩＭ装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０２０１】
また、このコンピュータプログラムは、端末装置１００、サーバ装置２００、および、ＢＩＭ装置４００に対して任意のネットワーク３００を介して接続されたアプリケーションプログラムサーバに記憶されていてもよく、必要に応じてその全部または一部をダウンロードすることも可能である。
【０２０２】
また、本発明に係るプログラムを、コンピュータで読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。
【０２０３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０２０４】
記憶部１０６、記憶部２０６、および、記憶部４０６に格納される各種のデータベース等（機器情報データベース１０６ａ、ＢＩＭモデルデータベース１０６ｂ、パーツ情報データベース２０６ａ、ＢＩＭモデルファイル２０６ｂ、機器情報データベース４０６ａ、パーツ情報データベース４０６ｂ、ＢＩＭモデルデータベース４０６ｃ、ＢＩＭモデルデータベース５０６ａ）は、ＲＡＭ、ＲＯＭ等のメモリ装置、ハードディスク等の固定ディスク装置、フレキシブルディスク、および、光ディスク等のストレージ手段であり、各種処理やウェブサイトの提供に用いる各種のプログラム、テーブル、データベース、および、ウェブページ用ファイル等を格納する。
【０２０５】
また、端末装置１００、サーバ装置２００、および、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、ＢＩＭ装置４００は、該情報処理装置に本発明の方法を実現させるソフトウェア（プログラム、データ等を含む）を実装することにより実現してもよい。
【０２０６】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０２０７】
以上で説明した実施形態、変形例に係るＢＩＭシステム、サーバ装置、端末装置、方法およびプログラムによれば、昇降機の設備計画を提案する際、昇降機を視覚的に分かりやすく表示することができる。
【符号の説明】
【０２０８】
１００  第１の端末装置（端末装置）
１０２  制御部
１０２ａ  入力画面表示部
１０２ｂ  機器選定部
１０２ｃ  結果画面生成部
１０２ｄ  結果画面表示部
１０２ｅ  作成条件生成部
１０２ｆ  作成条件送信部
１０２ｇ  仕様条件受信部
１０２ｈ  情報取得部
１０２ｉ  操作画面表示部
１０２ｊ  統合モデリング部
１０２ｋ  画面生成部
１０２ｍ  画面表示部
１０２ｎ  変更画面表示部
１０２ｐ  仕様条件生成部
１０２ｑ  機器情報送信部
１０４  通信制御インターフェース部
１０６  記憶部
１０６ａ  機器情報データベース
１０６ｂ  ＢＩＭモデルデータベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  機器情報受信部
２０２ｅ  作成条件生成部
２０２ｆ  画面生成部
２０２ｇ  画面表示制御部
２０２ｈ  操作画面表示制御部
２０２ｉ  統合モデリング部
２０４  通信制御インターフェース部
２０６  記憶部
２０６ａ  パーツ情報データベース
２０６ｂ  ＢＩＭモデルファイル
３００  ネットワーク
４００  ＢＩＭ装置
４０２  制御部
４０２ａ  入力画面表示部
４０２ｂ  機器選定部
４０２ｃ  結果画面生成部
４０２ｄ  結果画面表示部
４０２ｅ  作成条件生成部
４０２ｆ  昇降機モデリング部
４０２ｇ  操作画面表示部
４０２ｈ  統合モデリング部
４０２ｉ  画面生成部
４０２ｊ  画面表示部
４０２ｋ  変更画面表示部
４０２ｍ  仕様条件生成部
４０６  記憶部
４０６ａ  機器情報データベース
４０６ｂ  パーツ情報データベース
４０６ｃ  ＢＩＭモデルデータベース
４０８  入出力制御インターフェース部
４１４  表示部
４１６  音声出力部
４１８  入力部
５００  第２の端末装置
５０２  制御部
５０２ａ  情報取得部
５０２ｂ  操作画面表示部
５０２ｃ  統合モデリング部
５０２ｄ  画面生成部
５０２ｅ  画面表示部
５０２ｆ  変更画面表示部
５０２ｇ  仕様条件生成部
５０２ｈ  仕様条件送信部
５０４  通信制御インターフェース部
５０６  記憶部
５０６ａ  ＢＩＭモデルデータベース
５０８  入出力制御インターフェース部
５１４  表示部
５１６  音声出力部
５１８  入力部
【要約】
【課題】昇降機の設備計画を提案する際、昇降機を視覚的に分かりやすく表示することができるＢＩＭシステムを提供することを課題とする。
【解決手段】ＢＩＭシステムは、入力される昇降機の仕様条件を満たす機器を、記憶部に記憶された機器情報から選定して、選定した当該機器情報を含む機器構成一覧表を生成する。ＢＩＭシステムは、生成された機器構成一覧表を少なくとも含む機器選定結果画面を生成する。ＢＩＭシステムは、生成された機器選定結果画面を表示部に表示させ、機器構成一覧表に含まれる機器情報に基づいてＢＩＭパーツの作成条件を生成する。ＢＩＭシステムは、生成された作成条件に対応するＢＩＭパーツを、記憶部に記憶されたパーツ情報を用いて作成し、作成されたＢＩＭパーツを含むレイアウト画面を生成し、生成されたレイアウト画面を表示部に表示させる。
【選択図】図２【図１】
0005642232.tif 000002
【図２】
0005642232.tif 000003
【図３】
0005642232.tif 000004
【図４】
0005642232.tif 000005
【図５】
0005642232.tif 000006
【図６】
0005642232.tif 000007
【図７】
0005642232.tif 000008
【図８】
0005642232.tif 000009
【図９】
0005642232.tif 000010
【図１０】
0005642232.tif 000011
【図１１】
0005642232.tif 000012
【図１２】
0005642232.tif 000013
【図１３】
0005642232.tif 000014
【図１４】
0005642232.tif 000015
【図１５】
0005642232.tif 000016
【図１６】
0005642232.tif 000017
【図１７】
0005642232.tif 000018